(57)【要約】【課題】  迅速に再生すべき音声情報を検索できると共に、再生動作を簡略化し、記録情報の再生の中断を防止することが可能となるように記録情報を記録することができる記録装置及び情報記録媒体から迅速且つ正確に音声情報を再生することが可能な再生装置を提供する。【解決手段】  検索制御情報に含まれるオーディオパックアドレスで指し示されている再生オーディオパックＰＡＰ内のオーディオデータ４３の記録領域の先頭と、オーディオフレームＡＦに含まれるオーディオデータ４３の先頭とを一致させて記録する。また、余った直前オーディオパックＢＡＰ内の領域をパディングデータＰＤにより埋めて記録する。更に、一体として再生されるべきＭＰＥＧ１互換部と拡張部を、同一のオーディオストリームにおける連続したオーディオパックＡＰに一体的に連続するように記録する。【選択図】  図８
2005276438.tif 000002
【特許請求の範囲】
【請求項１】
記録すべき記録情報に対して所定の信号処理を施し、複数の予め設定された情報単位により構成される処理記録情報を生成する信号処理手段と、
外部から入力された前記記録情報の再生を制御する制御情報に基づき、前記所定の信号処理に基づいて予め設定された前記処理記録情報の記録単位のうち、前記記録情報の再生時において再生すべき前記記録情報を含む記録単位である再生記録単位を検索するための検索制御情報を生成する検索制御情報生成手段と、
前記生成された処理記録情報を前記記録単位毎に分割する分割手段であって、前記再生記録単位においては、当該再生記録単位内の前記処理記録情報が記録されるべき領域の先頭に対応する前記情報記録媒体上の記録位置に、当該再生記録単位に含まれるべき前記情報単位を構成する前記処理記録情報のうち最初の前記処理記録情報が記録されるように前記処理記録情報を分割する分割手段と、
前記記録単位毎に分割された前記処理記録情報と前記検索制御情報とを多重して多重記録情報を出力する多重手段と、
前記多重記録情報を前記情報記録媒体に記録する記録手段と、
を備えたことを特徴とする記録装置。
【請求項２】
請求項１に記載の記録装置において、
前記分割手段は、前記処理記録情報上における前記再生記録単位の直前に位置する前記記録単位である直前記録単位において、当該直前記録単位に含ませることが可能な前記処理記録情報の情報量が、当該直前記録単位に実際に含まれるべき前記処理記録情報の情報量より多いとき、余った当該直前記録単位内の情報量に相当する情報量を有する前記記録情報の再生の際に再生されない無再生情報を、当該直前記録単位内の当該直前記録単位に実際に含まれるべき前記処理記録情報の後に含ませるように前記処理記録情報を分割することを特徴とする記録装置。
【請求項３】
請求項１又は２に記載の記録装置において、
前記記録情報は音情報であり、
前記検索制御情報は、前記処理記録情報と共に前記情報記録媒体に記録される映像情報に同期して再生されるべき前記記録情報を含む前記記録単位を前記再生記録単位として検索するための検索制御情報であることを特徴とする記録装置。
【請求項４】
記録すべき主記録情報と当該主記録情報に付随する記録すべき副記録情報に対して夫々所定の信号処理を施し、処理主記録情報及び処理副記録情報として出力する信号処理手段と、
前記処理主記録情報を、前記所定の信号処理に基づいて予め設定された第１記録単位毎に分割すると共に、前記処理副記録情報を前記第１記録単位毎に分割する記録情報分割手段と、
前記処理主記録情報を含む前記第１記録単位及び前記処理副記録情報を含む前記第１記録単位のうちいずれか一方又は双方により、前記所定の信号処理に基づいて予め設定された第２記録単位を構成するように前記処理主記録情報と前記処理副記録情報とを多重し、多重処理記録情報を生成して出力する記録情報多重手段と、
前記多重処理記録情報を情報記録媒体に記録する記録手段と、
を備えることを特徴とする記録装置。
【請求項５】
再生すべき記録情報と共に情報記録媒体に記録されている検索制御情報に基づいて前記記録情報の再生を制御する再生装置により再生される前記情報記録媒体であって、
記録すべき記録情報に対して所定の信号処理を施すことにより生成され、複数の予め設定された情報単位によって構成される処理記録情報と、前記所定の信号処理に基づいて予め設定された前記処理記録情報の記録単位のうち、前記記録情報の再生時において再生されるべき前記記録情報を含む前記記録単位である再生記録単位を検索するための前記検索制御情報とが多重された構造を備えると共に、
前記再生記録単位においては、当該再生記録単位内の前記処理記録情報が記録されるべき領域の先頭に対応する前記情報記録媒体上の記録位置に、前記再生記録単位に含まれるべき前記情報単位を構成する前処理記記録情報のうち最初の前記処理記録情報が記録された構造を備えることを特徴とする情報記録媒体。
【請求項６】
請求項５に記載の情報記録媒体において、
前記処理記録情報上における前記再生記録単位の直前に位置する前記記録単位である直前記録単位においては、当該直前記録単位に含ませることが可能な前記処理記録情報の情報量が当該直前記録単位に実際に含まれるべき前記処理記録情報の情報量より多いとき、余った当該直前記録単位内の情報量に相当する情報量を有する前記記録情報の再生の際に再生されない無再生情報が、当該直前記録単位内の当該直前記録単位に実際に含まれるべき前記処理記録情報の後に含まれていることを特徴とする情報記録媒体。
【請求項７】
請求項５又は６に記載の情報記録媒体において、
前記記録情報は音情報であり、
前記検索制御情報は、前記処理記録情報と共に前記情報記録媒体に記録される映像情報に同期して再生されるべき前記記録情報を含む前記記録単位を前記再生記録単位として検索するための検索制御情報であることを特徴とする情報記録媒体。
【請求項８】
記録すべき主記録情報に対して所定の信号処理を施すことにより生成された処理主記録情報と、前記主記録情報に付随する記録すべき副記録情報に対して前記所定の信号処理を施すことにより生成された処理副記録情報とが多重された構造を備えた情報記録媒体であって、
前記処理主記録情報が前記所定の信号処理に基づいて予め設定された第１記録単位毎に分割されると共に、前記処理副記録情報が前記第１記録単位毎に分割され、更に、前記処理主記録情報を含む前記第１記録単位及び前記処理副記録情報を含む前記第１記録単位のうちいずれか一方又は双方により、前記所定の信号処理に基づいて予め設定された第２記録単位を構成して前記処理主記録情報と前記処理副記録情報とが多重された構造を備えることを特徴とする情報記録媒体。
【請求項９】
所定の信号処理が施されると共に、複数の予め設定された情報単位に分割された記録情報が、前記所定の信号処理に基づいて予め設定された前記記録情報の記録単位のうち再生すべき前記記録情報を含む記録単位である再生記録単位を検索するための検索制御情報と共に記録されている情報記録媒体であって、前記検索制御情報によって示される前記再生記録単位においては、当該再生記録単位内の前記記録情報が記録されるべき領域の先頭に対応する前記情報記録媒体上の記録位置に、当該再生記録単位に含まれるべき前記情報単位を構成する前記記録情報のうち最初の前記記録情報が記録されている前記情報記録媒体から前記記録情報を再生する再生装置であって、
制御信号に基づいて、前記情報記録媒体から前記検索制御情報及び前記記録単位毎の前記記録情報を検出し、復調して復調信号を出力する検出復調手段と、
前記復調信号から、前記検索制御情報を抽出する検索制御情報抽出手段と、
前記復調信号に含まれる前記記録単位内の前記記録情報を前記情報単位毎に抽出する記録情報抽出手段と、
前記抽出された検索制御情報に基づいて、前記再生記録単位内の前記記録情報を検出すべく前記制御信号を出力する制御手段と、
を備えたことを特徴とする再生装置。
【請求項１０】
請求項９に記載の再生装置において、
前記情報記録媒体上において前記再生記録単位の直前に位置する前記記録単位である直前記録単位においては、当該直前記録単位に含ませることが可能な前記記録情報の情報量が当該直前記録単位に実際に含まれるべき前記記録情報の情報量より多いとき、余った当該直前記録単位内の情報量に相当する情報量を有する再生の際に再生されない無再生情報が、当該直前記録単位内の当該直前記録単位に実際に含まれるべき前記記録情報の後に含まれていると共に、
前記記録情報抽出手段は、前記無再生情報を抽出することなく前記記録情報のみを抽出することを特徴とする再生装置。
【請求項１１】
請求項９又は１０に記載の再生装置において、
前記記録情報は音情報であり、
前記検索制御情報は、前記記録情報と共に前記情報記録媒体に記録されている映像情報に同期して再生されるべき前記記録情報を含む前記記録単位を前記再生記録単位として検索するための検索制御情報であることを特徴とする再生装置。
【請求項１２】
所定の信号処理が施された主記録情報が、前記所定の信号処理が施されると共に前記主記録情報に付随する副記録情報と共に記録されている情報記録媒体であって、前記主記録情報が前記所定の信号処理に基づいて予め設定された第１記録単位毎に分割されると共に、前記副記録情報が前記第１記録単位毎に分割され、更に、前記主記録情報を含む前記第１記録単位及び前記副記録情報を含む前記第１記録単位のうちいずれか一方又は双方により、前記所定の信号処理に基づいて予め設定された第２記録単位を構成して前記主記録情報と前記副記録情報とが記録されている前記情報記録媒体から前記主記録情報及び前記副記録情報を再生する再生装置であって、
前記情報記録媒体から前記主記録情報及び前記副記録情報を前記第２記録単位毎に検出し、復調することにより復調信号を出力する検出復調手段と、
前記復調信号から前記第１単位毎に前記主記録情報及び前記副記録情報を抽出する抽出手段と、
前記抽出された主記録情報及び当該主記録情報に付随する副記録情報を一体的にデコードするデコード手段と、
を備えたことを特徴とする再生装置。
【発明の詳細な説明】
【技術分野】
【０００１】
本発明は、ＤＶＤに代表される映像、音声等の情報を高密度に記録可能な高密度光ディスク等の情報記録媒体、並びに当該情報記録媒体に情報を記録するための記録装置、及び当該情報記録媒体から情報を再生するための再生装置の技術分野に属する。
【背景技術】
【０００２】
従来は、映像、音声等の情報が記録された光ディスクとしては、いわゆるＬＤ（Laser Disk）、ＣＤ（CompactDisk）等が広く一般化している。
【０００３】
これらのＬＤ等においては、映像情報や音声情報が、各ＬＤ等が有する再生開始位置を基準とした夫々の情報を再生すべき時刻を示す時間情報と共に記録されている。このため、記録されている情報を記録されている順序で再生する一般的な通常再生の他、例えば、ＣＤにおいては、記録されている複数の曲のうち、聞きたい曲のみを抽出して聞いたり、再生順序をランダムに変えて聞く等の再生が可能である。
【０００４】
しかし、上記ＬＤ等においては、表示される映像や再生される音声について視聴者が選択枝をもち、当該視聴者がそれらを選択して視聴する等のいわゆるインタラクティブな変化に富んだ再生はできないという問題点があった。
【０００５】
すなわち、例えば、ＬＤに記録されている外国映画を視聴する場合に、画面に表示されている字幕で用いられている言語を選択して（例えば、日本語の字幕と原語の字幕を選択して）表示させたり、又はＣＤに記録されている音楽を聴取する場合に、その音楽の音声を選択する（例えば、英語の歌詞で聞くか或は日本語の歌詞で聞くかを選択する）ことができないのである。
【０００６】
一方、現在、上記従来のＣＤに対して、光ディスク自体の大きさを変えずに記憶容量を約１０倍に向上させた光ディスクであるＤＶＤについての提案や開発が盛んであるが、このＤＶＤに対して、上記複数の字幕や複数の言語で音声等を記録しておけば、視聴者がそれを選択することにより上記インタラクティブな変化に富んだ再生を楽しむことも可能となる。
【発明の開示】
【発明が解決しようとする課題】
【０００７】
しかしながら、上記ＤＶＤに対して複数種類の言語の音声や、他種類の音楽等を記録する際には、記録すべき音声情報又は音楽等の情報量が膨大となるが、このとき、適切な記録態様で当該情報を記録しておかないと、再生の際、再生すべき音声情報等を検索するための処理が複雑になると共に、再生すべき音声情報等の検索に要する時間に起因して、再生中に音声又は音楽等が途切れる場合も生じ得るという問題点がある。
【０００８】
そこで、本発明は、この問題点に鑑みて成されたもので、その課題は、再生時に迅速に再生すべき音声情報等の記録情報を検索できると共に、再生動作を簡略化し、記録情報の再生の中断を防止することが可能となるように記録情報を記録することができる記録装置及び当該記録装置により記録情報が記録された情報記録媒体を提供すると共に、当該情報記録媒体から迅速且つ正確に記録情報を再生することが可能な再生装置を提供することにある。
【課題を解決するための手段】
【０００９】
上記の課題を解決するために、請求項１に記載の発明は、記録すべき記録情報に対してＭＰＥＧ２方式等の所定の信号処理を施し、複数の予め設定されたオーディオフレーム等の情報単位により構成される処理記録情報を生成する処理部等の信号処理手段と、外部から入力された前記記録情報の再生を制御する制御情報に基づき、前記所定の信号処理に基づいて予め設定されたオーディオパック等の前記処理記録情報の記録単位のうち、前記記録情報の再生時において再生すべき前記記録情報を含む記録単位である再生記録単位を検索するためのＤＳＩ（Data Search Information）データ等の検索制御情報を生成する制御情報生成部等の検索制御情報生成手段と、前記生成された処理記録情報を前記記録単位毎に分割する分割手段であって、前記再生記録単位においては、当該再生記録単位内の前記処理記録情報が記録されるべき領域の先頭に対応する前記情報記録媒体上の記録位置に、当該再生記録単位に含まれるべき前記情報単位を構成する前記処理記録情報のうち最初の前記処理記録情報が記録されるように前記処理記録情報を分割する分割部等の分割手段と、前記記録単位毎に分割された前記処理記録情報と前記検索制御情報とを多重して多重記録情報を出力するコントローラ、多重器等の多重手段と、前記多重記録情報を前記情報記録媒体に記録するマスタリング装置等の記録手段と、を備えて構成される。
【００１０】
請求項１に記載の発明の作用によれば、信号処理手段は、記録情報に対して所定の信号処理を施し、複数の情報単位により構成される処理記録情報を生成する。
【００１１】
一方、検索制御情報生成手段は、記録情報の再生を制御する制御情報に基づき、再生記録単位を検索するための検索制御情報を生成する。
【００１２】
そして、分割手段は、再生記録単位において、当該再生記録単位内の処理記録情報が記録されるべき領域の先頭に対応する情報記録媒体上の記録位置に、当該再生記録単位に含まれるべき情報単位を構成する処理記録情報のうち最初の処理記録情報が記録されるように処理記録情報を分割する。
【００１３】
その後、多重手段は、記録単位毎に分割された処理記録情報と検索制御情報とを多重して多重記録情報を出力する。
【００１４】
最後に、記録手段は、多重記録情報を上記情報記録媒体に記録する。
【００１５】
よって、再生記録単位内の処理記録情報が記録されるべき領域の先頭と、情報単位に含まれる処理記録情報の先頭とが一致しているので、記録情報の再生時において、再生記録単位を検索することで、同時に情報単位の先頭をも検出することができる。
【００１６】
上記の課題を解決するために、請求項２に記載の発明は、請求項１に記載の記録装置において、前記分割手段は、前記処理記録情報上における前記再生記録単位の直前に位置する前記記録単位である直前記録単位において、当該直前記録単位に含ませることが可能な前記処理記録情報の情報量が、当該直前記録単位に実際に含まれるべき前記処理記録情報の情報量より多いとき、余った当該直前記録単位内の情報量に相当する情報量を有する前記記録情報の再生の際に再生されないパディングデータ等の無再生情報を、当該直前記録単位内の当該直前記録単位に実際に含まれるべき前記処理記録情報の後に含ませるように前記処理記録情報を分割するように構成される。
【００１７】
請求項２に記載の発明の作用によれば、請求項１に記載の発明の作用に加えて、分割手段は、直前記録単位において当該直前記録単位に含ませることが可能な処理記録情報の情報量が、当該直前記録単位に実際に含まれるべき処理記録情報の情報量より多いとき、余った当該直前記録単位内の情報量に相当する情報量を有する無再生情報を、当該直前記録単位内の実際に含まれるべき処理記録情報の後に含ませるように処理記録情報を分割する。
【００１８】
よって、余った直前記録単位内の領域が無再生情報により埋められて記録されることとなるので、記録単位内の情報量は常に一定となり、記録情報の再生時に、簡単に再生記録単位の先頭を検出することができるので、確実に情報単位の先頭を検出することができる。
【００１９】
上記の課題を解決するために、請求項３に記載の発明は、請求項１又は２に記載の記録装置において、前記記録情報はオーディオデータ等の音情報であり、前記検索制御情報は、前記処理記録情報と共に前記情報記録媒体に記録される映像情報に同期して再生されるべき前記記録情報を含む前記記録単位を前記再生記録単位として検索するための検索制御情報であるように構成される。
【００２０】
請求項３に記載の発明の作用によれば、請求項１又は２に記載の発明の作用に加えて、記録情報は音情報であり、検索制御情報は、処理記録情報と共に記録される映像情報に同期して再生されるべき記録情報を含む記録単位を再生記録単位として検索するための検索制御情報であるので、映像情報に同期した音情報の再生動作を簡略化できると共に、音情報の再生の中断を防止できる。
【００２１】
上記の課題を解決するために、請求項４に記載の発明は、記録すべきメインフレーム等の主記録情報と当該主記録情報に付随する記録すべき拡張部フレーム等の副記録情報に対して夫々ＭＰＥＧ２方式等の所定の信号処理を施し、処理主記録情報及び処理副記録情報として出力する処理部等の信号処理手段と、前記処理主記録情報を、前記所定の信号処理に基づいて予め設定されたオーディオパケット等の第１記録単位毎に分割すると共に、前記処理副記録情報を前記第１記録単位毎に分割する分割部等の記録情報分割手段と、前記処理主記録情報を含む前記第１記録単位及び前記処理副記録情報を含む前記第１記録単位のうちいずれか一方又は双方により、前記所定の信号処理に基づいて予め設定されたオーディオパック等の第２記録単位を構成するように前記処理主記録情報と前記処理副記録情報とを多重し、多重処理記録情報を生成して出力する多重部等の記録情報多重手段と、前記多重処理記録情報を情報記録媒体に記録するマスタリング装置等の記録手段と、を備えて構成される。
【００２２】
請求項４に記載の発明の作用によれば、信号処理手段は、主記録情報と副記録情報に対して夫々所定の信号処理を施し、処理主記録情報及び処理副記録情報として出力する。
【００２３】
そして、記録情報分割手段は、処理主記録情報及び処理副記録情報を第１記録単位毎に夫々分割する。
【００２４】
その後、記録情報多重手段は、処理主記録情報を含む第１記録単位と処理副記録情報を含む第１記録単位のうちいずれか一方又は双方により第２記録単位を構成するように処理主記録情報と処理副記録情報とを多重し、多重処理記録情報を生成して出力する。
【００２５】
最後に、記録手段は、多重処理記録情報を情報記録媒体に記録する。
【００２６】
よって、一体として再生されるべき主記録情報及び副記録情報が、第２記録単位内に一体的に記録されるので、主記録情報及び副記録情報の再生時において、第２単位を再生して抽出することにより主記録情報及び付随する副記録情報を一体的に抽出でき、再生時に副記録情報又は主記録情報を個別に検索する必要がない。
【００２７】
上記の課題を解決するために、請求項５に記載の発明は、再生すべき記録情報と共にＤＶＤ等の情報記録媒体に記録されているＤＳＩデータ等の検索制御情報に基づいて前記記録情報の再生を制御する再生装置により再生される前記情報記録媒体であって、記録すべき記録情報に対してＭＰＥＧ２方式等の所定の信号処理を施すことにより生成され、複数の予め設定されたオーディオフレーム等の情報単位によって構成される処理記録情報と、前記所定の信号処理に基づいて予め設定されたオーディオパック等の前記処理記録情報の記録単位のうち、前記記録情報の再生時において再生されるべき前記記録情報を含む前記記録単位である再生記録単位を検索するための前記検索制御情報とが多重された構造を備えると共に、前記再生記録単位においては、当該再生記録単位内の前記処理記録情報が記録されるべき領域の先頭に対応する前記情報記録媒体上の記録位置に、前記再生記録単位に含まれるべき前記情報単位を構成する前処理記記録情報のうち最初の前記処理記録情報が記録された構造を備えて構成される。
【００２８】
請求項５に記載の発明の情報記録媒体によれば、記録情報に対して所定の信号処理を施すことにより生成され、複数の予め設定された情報単位によって構成される処理記録情報と、再生記録単位を検索するための検索制御情報とが多重された構造を備えると共に、当該再生記録単位においては、再生記録単位内の処理記録情報が記録されるべき領域の先頭に対応する記録位置に、再生記録単位に含まれるべき情報単位を構成する処理記録情報のうち最初の処理記録情報が記録されている。
【００２９】
よって、当該再生記録単位内の処理記録情報が記録されるべき領域の先頭と、情報単位に含まれる処理記録情報の先頭とが一致しているので、記録情報の再生時において、再生記録単位を検索することで、同時に情報単位の先頭をも検出することができる。
【００３０】
上記の課題を解決するために、請求項６に記載の発明は、請求項５に記載の情報記録媒体において、前記処理記録情報上における前記再生記録単位の直前に位置する前記記録単位である直前記録単位においては、当該直前記録単位に含ませることが可能な前記処理記録情報の情報量が当該直前記録単位に実際に含まれるべき前記処理記録情報の情報量より多いとき、余った当該直前記録単位内の情報量に相当する情報量を有する前記記録情報の再生の際に再生されないパディングデータ等の無再生情報が、当該直前記録単位内の当該直前記録単位に実際に含まれるべき前記処理記録情報の後に含まれて構成されている。
【００３１】
請求項６に記載の発明の情報記録媒体によれば、請求項５に記載の発明の作用に加えて、直前記録単位においては、当該直前記録単位に含ませることが可能な処理記録情報の情報量が実際に含まれるべき処理記録情報の情報量より多いとき、余った当該直前記録単位内の情報量に相当する情報量を有する無再生情報が、当該直前記録単位内の実際に含まれるべき処理記録情報の後に含まれている。
【００３２】
よって、余った直前記録単位内の領域が無再生情報により埋められて記録されることとなるので、記録単位内の情報量は常に一定となり、記録情報の再生時に、簡単に再生記録単位の先頭を検出することができるので、確実に情報単位の先頭を検出することができる。
【００３３】
上記の課題を解決するために、請求項７に記載の発明は、請求項５又は６に記載の情報記録媒体において、前記記録情報はオーディオデータ等の音情報であり、前記検索制御情報は、前記処理記録情報と共に前記情報記録媒体に記録される映像情報に同期して再生されるべき前記記録情報を含む前記記録単位を前記再生記録単位として検索するための検索制御情報であるように構成される。
【００３４】
請求項７に記載の発明の情報記録媒体によれば、請求項５又は６に記載の発明の作用に加えて、記録情報が音情報であり、検索制御情報は、処理記録情報と共に情報記録媒体に記録される映像情報に同期して再生されるべき記録情報を含む記録単位を再生記録単位として検索するための検索制御情報であるので、映像情報に同期した音情報の再生動作を簡略化できると共に、音情報の再生の中断を防止できる。
【００３５】
上記の課題を解決するために、請求項８に記載の発明は、記録すべきメインフレーム等の主記録情報に対してＭＰＥＧ２方式等の所定の信号処理を施すことにより生成された処理主記録情報と、前記主記録情報に付随する記録すべき拡張部フレーム等の副記録情報に対して前記所定の信号処理を施すことにより生成された処理副記録情報とが多重された構造を備えたＤＶＤ等の情報記録媒体であって、前記処理主記録情報が前記所定の信号処理に基づいて予め設定されたオーディオパケット等の第１記録単位毎に分割されると共に、前記処理副記録情報が前記第１記録単位毎に分割され、更に、前記処理主記録情報を含む前記第１記録単位及び前記処理副記録情報を含む前記第１記録単位のうちいずれか一方又は双方により、前記所定の信号処理に基づいて予め設定されたオーディオパック等の第２記録単位を構成して前記処理主記録情報と前記処理副記録情報とが多重された構造を備えて構成される。
【００３６】
請求項８に記載の発明の情報記録媒体によれば、処理主記録情報と処理副記録情報とが多重された構造を備えると共に、当該処理主記録情報及び処理副記録情報が第１記録単位毎に夫々分割され、処理主記録情報を含む第１記録単位及び処理副記録情報を含む第１記録単位のうちいずれか一方又は双方により第２記録単位を構成して処理主記録情報と処理副記録情報とが多重された構造を備える。
【００３７】
よって、一体として再生されるべき主記録情報及び副記録情報が、第２記録単位内に一体的に記録されるので、主記録情報及び副記録情報の再生時において、第２単位を再生して抽出することにより主記録情報及び付随する副記録情報を一体的に抽出でき、再生時に副記録情報又は主記録情報を個別に検索する必要がない。
【００３８】
上記の課題を解決するために、請求項９に記載の発明は、ＭＰＥＧ２方式等の所定の信号処理が施されると共に、複数の予め設定されたオーディオフレーム等の情報単位に分割された記録情報が、前記所定の信号処理に基づいて予め設定されたオーディオパック等の前記記録情報の記録単位のうち再生すべき前記記録情報を含む記録単位である再生記録単位を検索するためのＤＳＩデータ等の検索制御情報と共に記録されている情報記録媒体であって、前記検索制御情報によって示される前記再生記録単位においては、当該再生記録単位内の前記記録情報が記録されるべき領域の先頭に対応する前記情報記録媒体上の記録位置に、当該再生記録単位に含まれるべき前記情報単位を構成する前記記録情報のうち最初の前記記録情報が記録されている前記情報記録媒体から前記記録情報を再生する再生装置であって、制御信号に基づいて、前記情報記録媒体から前記検索制御情報及び前記記録単位毎の前記記録情報を検出し、復調して復調信号を出力するピックアップ、復調訂正部等の検出復調手段と、前記復調信号から、前記検索制御情報を抽出するシステムバッファ等の検索制御情報抽出手段と、前記復調信号に含まれる前記記録単位内の前記記録情報を前記情報単位毎に抽出するオーディオバッファ等の記録情報抽出手段と、前記抽出された検索制御情報に基づいて、前記再生記録単位内の前記記録情報を検出すべく前記制御信号を出力するシステムコントローラ等の制御手段と、を備えて構成される。
【００３９】
請求項９に記載の発明の作用によれば、検出復調手段は、制御信号に基づいて、情報記録媒体から検索制御情報及び記録単位毎の記録情報を検出し、復調して復調信号を出力する。
【００４０】
そして、検索制御情報抽出手段は、復調信号から、検索制御情報を抽出する。  その後、記録情報抽出手段は、復調信号に含まれる記録単位内の記録情報を情報単位毎に抽出する。
【００４１】
このとき、制御手段は、抽出された検索制御情報に基づいて、再生記録単位内の記録情報を検出すべく上記制御信号を出力する。
【００４２】
よって、再生記録単位内の処理記録情報が記録されるべき領域の先頭と、情報単位に含まれる処理記録情報の先頭とが一致しているので、再生記録単位を検索することで、同時に情報単位の先頭をも検出することができる。
【００４３】
上記の課題を解決するために、請求項１０に記載の発明は、請求項９に記載の再生装置において、前記情報記録媒体上において前記再生記録単位の直前に位置する前記記録単位である直前記録単位においては、当該直前記録単位に含ませることが可能な前記記録情報の情報量が当該直前記録単位に実際に含まれるべき前記記録情報の情報量より多いとき、余った当該直前記録単位内の情報量に相当する情報量を有する再生の際に再生されないパディングデータ等の無再生情報が、当該直前記録単位内の当該直前記録単位に実際に含まれるべき前記記録情報の後に含まれていると共に、前記記録情報抽出手段は、前記無再生情報を抽出することなく前記記録情報のみを抽出するように構成される。
【００４４】
請求項１０に記載の発明の作用によれば、請求項９に記載の発明の作用に加えて、直前記録単位においては、当該直前記録単位に含ませることが可能な記録情報の情報量が当該直前記録単位に実際に含まれるべき記録情報の情報量より多いとき、余った当該直前記録単位内の情報量に相当する情報量を有する無再生情報が、当該直前記録単位内に実際に含まれるべき前記記録情報の後に含まれていると共に、記録情報抽出手段は、無再生情報を抽出することなく記録情報のみを抽出する。
【００４５】
よって、余った直前記録単位内の領域が無再生情報により埋められて記録されることとなるので、記録単位内の情報量は常に一定となり、簡単に再生記録単位の先頭を検出することができるので、確実に情報単位の先頭を検出することができる。
【００４６】
上記の課題を解決するために、請求項１１に記載の発明は、請求項９又は１０に記載の再生装置において、前記記録情報はオーディオデータ等の音情報であり、前記検索制御情報は、前記記録情報と共に前記情報記録媒体に記録されている映像情報に同期して再生されるべき前記記録情報を含む前記記録単位を前記再生記録単位として検索するための検索制御情報であるように構成される。
【００４７】
請求項１１に記載の発明の作用によれば、請求項９又は１０に記載の発明の作用に加えて、記録情報は音情報であり、検索制御情報は、記録情報と共に記録されている映像情報に同期して再生されるべき記録情報を含む記録単位を再生記録単位として検索するための検索制御情報であるので、映像情報に同期した音情報の再生動作を簡略化できると共に、音情報の再生の中断を防止できる。
【００４８】
上記の課題を解決するために、請求項１２に記載の発明は、ＭＰＥＧ２方式等の所定の信号処理が施されたメインフレーム等の主記録情報が、前記所定の信号処理が施されると共に前記主記録情報に付随する拡張部フレーム等の副記録情報と共に記録されているＤＶＤ等の情報記録媒体であって、前記主記録情報が前記所定の信号処理に基づいて予め設定されたオーディオパケット等の第１記録単位毎に分割されると共に、前記副記録情報が前記第１記録単位毎に分割され、更に、前記主記録情報を含む前記第１記録単位及び前記副記録情報を含む前記第１記録単位のうちいずれか一方又は双方により、前記所定の信号処理に基づいて予め設定されたオーディオパック等の第２記録単位を構成して前記主記録情報と前記副記録情報とが記録されている前記情報記録媒体から前記主記録情報及び前記副記録情報を再生する再生装置であって、前記情報記録媒体から前記主記録情報及び前記副記録情報を前記第２記録単位毎に検出し、復調することにより復調信号を出力するピックアップ、復調訂正部等の検出復調手段と、前記復調信号から前記第１単位毎に前記主記録情報及び前記副記録情報を抽出するオーディオバッファ等の抽出手段と、前記抽出された主記録情報及び当該主記録情報に付随する副記録情報を一体的にデコードするオーディオデコーダ等のデコード手段と、を備えて構成される。
【００４９】
請求項１２に記載の発明の作用によれば、検出復調手段は、情報記録媒体から主記録情報及び副記録情報を第２記録単位毎に検出し、復調することにより復調信号を出力する。
【００５０】
そして、抽出手段は、復調信号から第１単位毎に主記録情報及び副記録情報を抽出する。
【００５１】
その後、デコード手段は、抽出された主記録情報及び当該主記録情報に付随する副記録情報を一体的にデコードする。
【００５２】
よって、一体としてデコードされるべき主記録情報及び副記録情報が、第２記録単位内に一体的に記録されているので、第２単位を再生して抽出することにより主記録情報及び付随する副記録情報を一体的に抽出でき、副記録情報又は主記録情報を個別に検索する必要がない。
【発明の効果】
【００５３】
請求項１に記載の発明によれば、再生記録単位内の処理記録情報が記録されるべき領域の先頭と、情報単位に含まれる処理記録情報の先頭とが一致しているので、記録情報の再生時において、再生記録単位を検索することで、同時に情報単位の先頭をも検出することができる。
【００５４】
従って、再生時に情報単位の先頭を検索する必要がなく、再生動作を簡略化できると共に、情報単位の先頭を検索することによる記録情報の再生の中断を防止できる。
【００５５】
請求項２に記載の発明によれば、請求項１に記載の発明の効果に加えて、分割手段が直前記録単位において当該直前記録単位に含ませることが可能な処理記録情報の情報量が、当該直前記録単位に実際に含まれるべき処理記録情報の情報量より多いとき、余った当該直前記録単位内の情報量に相当する情報量を有する無再生情報を、当該直前記録単位内の実際に含まれるべき処理記録情報の後に含ませるように処理記録情報を分割するので、余った直前記録単位内の領域が無再生情報により埋められて記録されることとなり、記録単位内の情報量は常に一定となる。
【００５６】
従って、記録情報の再生時に、簡単に再生記録単位の先頭を検出することができるので、確実に情報単位の先頭を検出することができる。
【００５７】
請求項３に記載の発明によれば、請求項１又は２に記載の発明の効果に加えて、記録情報は音情報であり、検索制御情報は、処理記録情報と共に記録される映像情報に同期して再生されるべき記録情報を含む記録単位を再生記録単位として検索するための検索制御情報であるので、映像情報に同期した音情報の再生動作を簡略化できると共に、音情報の再生の中断を防止できる。
【００５８】
請求項４に記載の発明によれば、一体として再生されるべき主記録情報及び副記録情報が、第２記録単位内に一体的に記録されるので、主記録情報及び副記録情報の再生時において、第２単位毎に再生することにより主記録情報及び付随する副記録情報を一体的に検出でき、再生時に副記録情報又は主記録情報を個別に検索する必要がない。
【００５９】
従って、再生動作を簡略化できると共に、副記録情報又は主記録情報を検索することによる記録情報の再生の中断を防止できる。
【００６０】
請求項５に記載の発明の情報記録媒体によれば、記録情報に対して所定の信号処理を施すことにより生成され、複数の予め設定された情報単位によって構成される処理記録情報と、再生記録単位を検索するための検索制御情報とが多重された構造を備えると共に、当該再生記録単位においては、再生記録単位内の処理記録情報が記録されるべき領域の先頭に対応する記録位置に、再生記録単位に含まれるべき情報単位を構成する処理記録情報のうち最初の前記処理記録情報が記録されているので、当該再生記録単位内の処理記録情報が記録されるべき領域の先頭と、情報単位に含まれる処理記録情報の先頭とが一致することとなり、記録情報の再生時において、再生記録単位を検索することで、同時に情報単位の先頭をも検出することができる。
【００６１】
従って、再生時に情報単位の先頭を検索する必要がなく、再生動作を簡略化できると共に、情報単位の先頭を検索することによる記録情報の再生の中断を防止できる。
【００６２】
請求項６に記載の発明の情報記録媒体によれば、請求項５に記載の発明の効果に加えて、直前記録単位においては、当該直前記録単位に含ませることが可能な処理記録情報の情報量が実際に含まれるべき処理記録情報の情報量より多いとき、余った当該直前記録単位内の情報量に相当する情報量を有する無再生情報が、当該直前記録単位内の実際に含まれるべき処理記録情報の後に含まれているので、余った直前記録単位内の領域が無再生情報により埋められて記録されることとなり、記録単位内の情報量が常に一定となる。
【００６３】
従って、記録情報の再生時に、簡単に再生記録単位の先頭を検出することができるので、確実に情報単位の先頭を検出することができる。
【００６４】
請求項７に記載の発明の情報記録媒体によれば、請求項５又は６に記載の発明の効果に加えて、記録情報が音情報であり、検索制御情報は、処理記録情報と共に情報記録媒体に記録される映像情報に同期して再生されるべき記録情報を含む記録単位を再生記録単位として検索するための検索制御情報であるので、映像情報に同期した音情報の再生動作を簡略化できると共に、音情報の再生の中断を防止できる。
【００６５】
請求項８に記載の発明の情報記録媒体によれば、処理主記録情報と処理副記録情報とが多重された構造を備えると共に、処理主記録情報が第１記録単位毎に分割されると共に、処理副記録情報が第１記録単位毎に分割され、処理主記録情報を含む第１記録単位と処理副記録情報を含む第１記録単位とにより第２記録単位を構成して処理主記録情報と処理副記録情報とが多重された構造を備えるので、一体として再生されるべき主記録情報及び副記録情報が、第２記録単位内に一体的に記録されるので、主記録情報及び副記録情報の再生時において、第２単位毎に再生することにより主記録情報及び付随する副記録情報を一体的に検出でき、再生時に副記録情報又は主記録情報を個別に検索する必要がない。
【００６６】
従って、再生動作を簡略化できると共に、副記録情報又は主記録情報を検索することによる記録情報の再生の中断を防止できる。
【００６７】
請求項９に記載の発明によれば、再生記録単位内の処理記録情報が記録されるべき領域の先頭と、情報単位に含まれる処理記録情報の先頭とが一致しているので、再生記録単位を検索することで、同時に情報単位の先頭をも検出することができる。
【００６８】
従って、情報単位の先頭を検索する必要がなく、再生動作を簡略化できると共に、情報単位の先頭を検索することによる記録情報の再生の中断を防止できる。  請求項１０に記載の発明によれば、請求項９に記載の発明の効果に加えて、直前記録単位においては、当該直前記録単位に含ませることが可能な記録情報の情報量が当該直前記録単位に実際に含まれるべき記録情報の情報量より多いとき、余った当該直前記録単位内の情報量に相当する情報量を有する無再生情報が、当該直前記録単位内に実際に含まれるべき前記記録情報の後に含まれていると共に、記録情報抽出手段は、無再生情報を抽出することなく記録情報のみを抽出する。
【００６９】
従って、余った直前記録単位内の領域が無再生情報により埋められて記録されることとなるので、記録単位内の情報量は常に一定となり、簡単に再生記録単位の先頭を検出することができるので、確実に情報単位の先頭を検出することができる。
【００７０】
請求項１１に記載の発明によれば、請求項９又は１０に記載の発明の効果に加えて、記録情報は音情報であり、検索制御情報は、記録情報と共に記録されている映像情報に同期して再生されるべき記録情報を含む記録単位を再生記録単位として検索するための検索制御情報であるので、映像情報に同期した音情報の再生動作を簡略化できると共に、音情報の再生の中断を防止できる。
【００７１】
請求項１２に記載の発明によれば、一体としてデコードされるべき主記録情報及び副記録情報が、第２記録単位内に一体的に記録されているので、第２単位毎に再生することにより主記録情報及び付随する副記録情報を一体的に検出でき、副記録情報又は主記録情報を個別に検索する必要がない。
【００７２】
従って、再生動作を簡略化できると共に、副記録情報又は主記録情報を検索することによる記録情報の再生の中断を防止できる。
【発明を実施するための最良の形態】
【００７３】
次に、本発明に好適な実施の形態について説明する。なお、以下に説明する実施の形態は、上記ＤＶＤに対して本発明を適用した実施の形態について説明するものである。
【００７４】
なお、以下の実施の形態においては、下記リストの左側に示した特許請求の範囲における各構成要素の一例が、下記リストの右側に示した要素から夫々構成されている。
【００７５】
情報単位…………………：オーディオフレーム
記録単位、第２記録単位：オーディオパック
再生記録単位……………：再生オーディオパック
直前記録単位……………：直前オーディオパック
主記録情報………………：メインフレーム
副記録情報………………：拡張部フレーム
第１記録単位……………：オーディオパケット
検索制御情報……………：ＤＳＩデータ
【００７６】
（Ｉ）情報記録媒体の実施の形態
始めに、本発明に対応する情報記録媒体の実施の一形態であるＤＶＤの物理的及び論理的な構成並びにその動作について、図１乃至図８を用いて説明する。
【００７７】
始めに、映像情報及び音声情報（音楽情報も含む。以下、同じ）のＤＶＤ上における記録フォーマット（物理的記録フォーマット）について、図１を用いて説明する。
【００７８】
図１に示すように、実施の形態のＤＶＤ１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ（Video Title Set）３（ＶＴＳ＃１乃至ＶＴＳ＃ｎ）に分割されて記録されている。ここで、ＶＴＳとは、関連する（それに含まれる音声情報及び副映像情報の数や、仕様、対応言語等の属性が同じ）タイトル（映画等の、製作者が視聴者に提示しようとする一つの作品）を一まとめにしたセット（まとまり）であり、より具体的には、例えば、一本の同じ映画について、異なる言語のセルフ等を有する複数の映画が夫々にタイトルとして記録されたり、又は、同じ映画であっても劇場版と特別版とが夫々別のタイトルとして記録されたりするものである。また、ＶＴＳ３が記録されている領域の先頭には、ビデオマネージャ２が記録される。このビデオマネージャ２として記録される情報は、例えば、各タイトルの名前を示すメニューや、違法コピー防止のための情報、又は夫々のタイトルにアクセスするためのアクセステーブル等、当該ＤＶＤ１に記録される映像情報及び音声情報の全体に係わる情報が記録されている。
【００７９】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００８０】
ＶＴＳ３の先頭に記録されるコントロールデータ１１には、複数のセル（セルについては後述する。）を組合わせた論理的区分であるプログラムチェインに関する種々の情報であるＰＧＣＩ（Program Chain Information）等の情報が記録される。また、各ＶＯＢ１０には、制御情報の他に映像情報及び音声情報の実体部分（制御情報以外の映像又は音声そのもの）が記録されている。
【００８１】
更に、一のＶＯＢ１０は、夫々にＩＤ番号を有する複数のセル２０により構成されている。ここで、一のＶＯＢ１０は、複数のセル２０により完結するように構成されており、一のセル２０が二つのＶＯＢ１０に跨がることはない。
【００８２】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報（映画における字幕等の副映像の情報をいう。）のいずれかを含む一つの単位である。
【００８３】
そして、一のＶＯＢユニット３０は、ＶＯＢユニット３０に含まれている映像情報等を制御対象とする制御情報が格納されているナビパック４１と、映像情報としてのビデオデータ４２と、音声情報としてのオーディオデータ４３と、副映像情報としてのサブピクチャデータ４４とにより構成されている。ここで、ビデオデータ４２としては映像データのみが記録され、オーディオデータ４３としては音声データのみが記録される。また、サブピクチャデータ４４としては副映像としての文字や図形等のグラフィックデータのみが記録される。なお、ＤＶＤ１に記録可能な音声種類（ストリーム数）は８種類であり、記録可能な副映像の種類（ストリーム数）は３２種類であることが規格上定められている。
【００８４】
また、一のＶＯＢユニット３０に対応する再生時間（一のナビパック４１と当該一のナビパック４１に隣接するナビパック４１との間に記録されているデータに対応する再生時間）は、０．４秒以上の長さを有するように記録される。
【００８５】
更に、一のＶＯＢユニット３０において、ナビパック４１は必ずその先頭に存在するが、ビデオデータ４２、オーディオデータ４３及びサブピクチャデータ４４の夫々は、必ずしもＶＯＢユニット３０中に存在する必要はなく、また、存在する場合にもその数や順序は任意に設定することができる。
【００８６】
ここで、図１に示すビデオデータ４２、オーディオデータ４３及びサブピクチャデータ４４の夫々の区分を一般にパックＰという。すなわち、一のＶＯＢユニット３０においては、ビデオデータ４２、オーディオデータ４３及びサブピクチャデータ４４が、夫々パックＰに分割されて記録されていることとなり、ビデオデータ４２が記録されているパックＰをビデオパックＶＰ、オーディオデータ４３が記録されているパックＰをオーディオパックＡＰ、サブピクチャデータ４４が記録されているパックＰをサブピクチャパックＳＰという。そして、これらのパックＰは、ＤＶＤ１上に記録情報を記録する際に用いられる後述のＭＰＥＧ２（Moving Picture ExpertsGroup ２）方式に基づいて設定されるが、実施の形態のＤＶＤ１では、通常一セクタが一パックに対応する。更に、各パックＰの先頭に記録されるパックヘッダには、夫々のパックＰに含まれているデータを後述の再生装置におけるトラックバッファから読み出して夫々のバッファへの入力を開始すべき再生時間軸上の読み出し開始時刻を示すＳＣＲ（System Clock Reference）と呼ばれる読み出し開始時刻情報が記録される。また、上記各パックＰについては、通常、当該パックＰを更に細分化した記録単位であるパケット毎にビデオデータ４２、オーディオデータ４３及びサブピクチャデータ４４が記録される。
【００８７】
最後に、ナビパック４１は、再生表示させたい映像又は音声等を検索するための検索情報（具体的には、当該再生表示させたい映像又は音声等が記録されているＤＶＤ１上のアドレス等）であるＤＳＩデータ５１と、ＤＳＩデータ５１に基づいて検索された映像又は音声を再生表示する際の再生表示制御に関する情報であるＰＣＩ（Presentation Control Information）データ５０とにより構成される。このとき、ＤＳＩデータ５１及びＰＣＩデータ５０は、パケットＰＴとして夫々ＤＳＩパケット及びＰＣＩパケットを構成して記録されている。
【００８８】
更に、一のＶＯＢユニット３０に含まれている全てのビデオデータ４２は、一又は複数のＧＯＰ（Group Of Picture）により構成されている。
【００８９】
なお、ＰＣＩデータ５０には、視聴者によって選択される選択項目に対して、その項目が選択されたときの表示や動作を定義したハイライト情報が含まれている。このハイライト情報によって、例えば、視聴者が選択すべき項目を表示した画像（いわゆるメニュー画面）における、項目選択に対する画面表示の変化や、当該選択に対応して変化すべき表示位置及び選択された項目に対するコマンド（選択された項目に対して実行される動作を示す命令）の設定が行われる。
【００９０】
更に、メニュー画面を構成して表示するために必要な、枠、選択ボタン等を表示するための画像情報は、上記の副映像情報であるサブピクチャデータ４４として記録される。
【００９１】
また、ハイライト情報内に、後述の再生装置におけるシステムコントローラ内のレジスタ（メモリ）の値を設定するための情報を含ませることもできる。この点について、例えば、ＤＶＤ１に記録されている記録情報が教育用ソフトウェアである場合を用いて説明すると、教育用ソフトウェアにおいては、テスト問題を表示部に表示し、次に複数個の解答候補を視聴者が選択する選択項目としてサブピクチャデータ４４を用いて表示する場合がある。このとき、ハイライト情報には個々の選択項目に対応するコマンド情報が含まれており、問題の正解に対応する選択項目が視聴者により選択された場合に、システムコントローラは、当該選択項目に対応するハイライト情報内のコマンド情報により、当該システムコントローラに含まれる所定のレジスタに正解に対応する所定の得点を加算し、不正解の選択項目が選択された場合には得点の加算を行わないようにする。以下、同様に所定数の問題について出題と解答を繰返し、全ての解答終了後に、システムコントローラは、他のコマンド情報（例えば、ＰＧＣＩ内のコマンド情報）により、得点を累積した上記所定のレジスタを参照し、得点が予め設定されている所定の値より大きければ次の学習段階の問題等が記録されているＤＶＤ１上の記録位置にピックアップをジャンプさせ、反対に得点が所定の値より小さければ復習のソフトウェアが記録されている記録位置にピックアップをジャンプさせることを行う。以上の例のように、ハイライト情報によりシステムコントローラ内のレジスタを設定することも可能なのである。
【００９２】
一方、上記ＧＯＰは、本実施の形態におけるＤＶＤ１に映像情報を記録する際に採用されている画像圧縮方式であるＭＰＥＧ２方式の規格において定められている単独で再生可能な最小の画像単位である。
【００９３】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算により生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００９４】
更に、上記ＧＯＰについて図２を用いてその概要を説明する。なお図２は、一のＧＯＰを構成する複数のフレーム画像の例を示している。図２では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded picture：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-coded picture：前方予測符号化画像）と呼ばれ、既に復号化されたＩピクチャ又は他のＰピクチャに基づいて補償再生された予測画像との差を復号化する等して生成された予測画像である。また、符号「Ｂ」で示されるフレーム画像は、Ｂピクチャ（Bidirectionally predictive-coded picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。図２においては、各ピクチャ間の予測関係（補間関係）を矢印で示している。
【００９５】
なお、本実施の形態に係るＤＶＤ１で用いられているＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００９６】
一方、本実施の形態に係るＤＶＤ１におけるオーディオデータ４３について説明すると、オーディオデータ４３としては、圧縮されたオーディオデータが記録される場合と、圧縮されていないオーディオデータが記録される場合がある。そして、圧縮されたオーディオデータを記録する際の圧縮方法としては、上記ビデオデータ４２の圧縮方法と同様の圧縮方法であるＭＰＥＧ２方式を用いる場合と、当該ＭＰＥＧ２方式より一世代前の圧縮方式であるもＭＰＥＧ１（Moving Picture Expert Group １）方式を用いる場合とがある。
【００９７】
なお、ＭＰＥＧ２方式で圧縮したオーディオデータ４３には、ＭＰＥＧ１方式用のデコーダでデコード処理できるＭＰＥＧ１互換部と、ＭＰＥＧ１方式用のデコーダでデコード処理できない拡張部とが含まれており、拡張部に含まれるオーディオデータ４３は、ＭＰＥＧ１互換部に含まれるオーディオデータ４３に付随するものであり、再生時に連続して再生されるべきものである。
【００９８】
そして、上記ＭＰＥＧ１方式又はＭＰＥＧ２方式のいずれの場合にも、単独で元のオーディオデータを完全に再生可能なように圧縮される情報単位として、オーディオフレームが夫々の規格上設定されている。すなわち、ビデオデータ４２におけるＧＯＰに相当するものが、オーディオデータ４３においてはオーディオフレームとなる。従って、オーディオフレームの途中のデータから再生を行うことはできず、一のオーディオフレームにおいては、必ずその先頭から再生が開始される必要があり、オーディオデータ再生時においては、このオーディオフレームの先頭を検索し、そこから再生する必要がある。
【００９９】
ここで、一の上記オーディオパックに記録可能なオーディオデータ４３の記録容量と、一のオーディオフレームとして備えるべき情報量とは必ずしも一致しない。従って、複数のオーディオフレームにより一のオーディオパックが構成される場合があり、同様に、一のオーディオフレームが複数のオーディオパックに分割され、夫々のオーディオパック毎に分散してＤＶＤ１に記録される場合もある。これらの場合にも、再生時には、後述のように分割されたオーディオフレームがデコード前に纏められて一つのオーディオフレームとして再生装置におけるオーディオデコーダに入力されるので、再生の際に再生不可能となるような問題は生じない。
【０１００】
以上説明した図１に示す階層構造の記録フォーマットにおいて、夫々の区分は、ＤＶＤ１内に記録させる記録情報の製作者（以下、単に製作者という。）がその意図に応じて自在に区分設定をして記録させるものである。これらの区分毎に後述の論理構造に基づいて再生することにより、変化に富んだ種々の再生が可能となるのである。
【０１０１】
次に、図１に示す物理的な区分により記録された情報を組合わせた論理的フォーマット（論理構造）について図３を用いて説明する。なお、図３に示す論理構造は、その構造で実際にＤＶＤ１上に情報が記録されているのではなく、図３に示す論理構造で図１に示す各データ（特にセル２０）を組合わせて再生するための情報（アクセス情報又は時間情報等）がＤＶＤ１上の、特にコントロールデータ１１の中に記録されているものである。
【０１０２】
説明の明確化のために、図３の下位の階層から説明していくと、上記図１において説明した物理構造のうち、複数のセル２０を選択して組合わせることにより、一のプログラム６０が製作者の意図に基づいて論理上構成される。このプログラム６０は、後述の再生装置におけるシステムコントローラが区分を識別してコマンドによってアクセスできる最小の論理的単位でもある。なお、このプログラム６０を一又は複数個纏めたものを視聴者が自由に選択して視聴することができる最小単位として製作者が定義することもでき、この単位をＰＴＴ（Part Of Title）という。
【０１０３】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを製作者が行うことも可能となっている。
【０１０４】
ここで、一のセル２０の番号については、当該セル２０を図１に示す物理フォーマットにおいて取り扱う際にはセルＩＤ番号として取り扱われ（図１中、セルＩＤ＃と示す。）、図３に示す論理フォーマットにおいて取り扱う際には、後述するＰＧＣＩ中の記述順にセル番号として扱われる。
【０１０５】
次に、複数のプログラム６０を組合わせて一のＰＧＣ（Program Chain）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ１上の記録位置であるアドレス、一のプログラム６０における再生すべき先頭セル２０の番号、各プログラム６０の再生方式［本実施の形態のＤＶＤ１に情報を記録する際には、再生時において、ランダム再生（乱数によるランダム再生であり、同じプログラム６０が複数回再生されることがある。）、シャッフル再生（ランダム再生と同様の乱数によるランダム再生であるが、同じプログラム６０は一度しか再生されず、同じプログラム６０が複数回再生されることはない。）又はループ再生（一つのＰＧＣ６１を何度も再生すること。）のうち、いずれか一つ、又はループ再生とランダム再生又はシャッフル再生の組合わせによる再生方法をＰＧＣ６１毎に製作者が選択して再生させるようにすることができる。］及び各種コマンド（ＰＧＣ６１又はセル２０毎に製作者が指定可能なコマンド）が含まれている。なお、ＰＧＣＩのＤＶＤ１上の記録位置は、上述の通りコントロールデータ１１（図１参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図示を省略する。）内である。
【０１０６】
また、一のＰＧＣ６１には、上記ＰＧＣＩの他に、実体的な映像及び音声等のデータがプログラム６０の組合わせとして（換言すれば、セル２０の組合わせとして）含まれることとなる。
【０１０７】
更に、一のＰＧＣ６１においては、上記のプログラム６０における説明において示したセル２０の使い回し（すなわち、異なるＰＧＣ６１により、同一のセル２０を用いること。）も可能である。また、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができる。
【０１０８】
次に、一又は複数のＰＧＣ６１により、一のタイトル６２が論理上構成される。このタイトル６２は、例えば、映画一本に相当する単位であり、製作者がＤＶＤ１の視聴者に対して提供したい完結した情報である。
【０１０９】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。
【０１１０】
また、図３に示す一のＶＴＳ６３に相当する情報は、図１に示す一のＶＴＳ３に含まれている情報に対応している。すなわち、ＤＶＤ１には、図３に示すＶＴＳ６３内に論理上含まれる全ての情報が一のＶＴＳ３として纏めて記録されていることとなる。
【０１１１】
以上説明した論理フォーマットに基づいて、物理構造において区分された情報を製作者が指定することにより、視聴者が見るべき映像（映画等）が形成されるのである。
【０１１２】
なお、図１に示す物理構造の説明においては、内容の理解の容易化のため、複数のセル２０がＩＤ番号の順に記録されているとして説明したが、実施の形態のＤＶＤ１においては、実際には、一のセル２０が図４に示す複数のインターリーブドユニットＩＵに分割されて記録される場合がある。
【０１１３】
すなわち、例えば図４に示すように、製作者が一のＰＧＣ６１ＡをＩＤ番号１、２及び４を有するセル２０により構成し、他のＰＧＣ６１ＢをＩＤ番号１、３及び４を有するセル２０により構成する場合を考えると、当該ＰＧＣ６１Ａに基づいてＤＶＤ１から情報を再生する際には、ＩＤ番号１、２及び４を有するセル２０のみを再生し、ＰＧＣ６１Ｂに基づいてＤＶＤ１から情報を再生する際には、ＩＤ番号１、３及び４を有するセル２０のみを再生することとなる。この場合に、セル２０がＩＤ番号毎に分離して記録されていると、例えば、ＰＧＣ６１Ａの場合には、ＩＤ番号２のセル２０のＤＶＤ１上の記録位置からＩＤ番号４のセル２０のＤＶＤ１上の記録位置まで、再生のためのピックアップをジャンプする時間が必要となり、後述の再生装置におけるトラックバッファの容量によっては、ＩＤ番号２のセル２０とＩＤ番号４のセル２０を連続的に再生すること（以下、これをシームレス再生という。）ができなくなる。
【０１１４】
そこで、図４に示す場合には、ＩＤ番号２のセル２０とＩＤ番号３のセル２０を、後述の再生装置におけるトラックバッファにおける入出力処理の速度に対応して、一時的に入力信号の入力が停止しても、出力信号の連続性が損なわれない長さのインターリーブドユニットＩＵ（すなわち、一のインターリーブドユニットＩＵの間だけ再生装置におけるピックアップがジャンプすることによりトラックバッファへの入力信号が途絶えても、当該トラックバッファからの出力信号を連続的に出力可能な長さのインターリーブドユニットＩＵ）に夫々分解して記録し、例えば、ＰＧＣ６１Ａに基づいて再生する場合には、ＩＤ番号２に対応するセル２０を構成するインターリーブドユニットＩＵのみを連続して検出し、再生することが行われる。同様に、ＰＧＣ６１Ｂに基づいて再生する場合には、ＩＤ番号３に対応するセル２０を構成するインターリーブドユニットＩＵのみを連続して検出し、再生するのである。なお、インターリーブドユニットＩＵの長さは、上述のように、トラックバッファの容量を勘案して決定される他に、トラックジャンプを行うためのスライダモータ等の駆動機構の性能をも加味して決定される場合がある。
【０１１５】
このように、製作者の意図によって、一のセル２０を複数のインターリーブドユニットＩＵに分割して記録しておくことにより、飛び飛びのＩＤ番号のセル２０を含むＰＧＣ６１を再生する際にも、トラックバッファから出力される信号は途切れることはなく、従って、視聴者は中断することのない再生映像を視聴することができるのである。
【０１１６】
なお、上記インターリーブドユニットＩＵを形成する際には、一のＶＯＢ１０内で完結するように形成され、一のインターリーブドユニットＩＵが隣り合う複数のＶＯＢ１０に跨がることはない。また、インターリーブドユニットＩＵとＶＯＢユニット３０との関係については、一のインターリーブドユニットＩＵ内に一又は複数のＶＯＢユニット３０が含まれ、一のインターリーブドユニットＩＵ内においては一のＶＯＢユニット３０が完結するように構成されており、一のＶＯＢユニット３０が分割されて複数のインターリーブドユニットＩＵに跨がることはない。
【０１１７】
以上説明したような種々の階層の情報を記録する必要があるため、上述の記録フォーマットを有する記録情報は、上記ＤＶＤ１のように、一本の映画を記録する他に、当該映画に対応する音声又は字幕等について、複数種類の言語の音声又は字幕をも同一の光ディスクに記録することが可能な大きな記憶容量を有する情報記録媒体に特に適している。
【０１１８】
次に、上記の物理構造及び論理構造を有する映像情報及び音声情報のうち、特に本発明に係るＤＳＩデータ５１について、図５を用いて説明する。
【０１１９】
ＤＳＩデータ５１には、上述のように、再生表示させたい情報を検索するための検索情報、より具体的には、再生表示させたい映像や音声若しくは副映像を上記ＶＯＢユニット３０の単位で検索するための情報及び上記シームレス再生を行うための情報並びに映像に同期した音声や副映像を検索するための情報等が記述される。
【０１２０】
これらの情報を分類すると、以下のように分類される。
【０１２１】
（１）視聴者から指定されたある動作の開始時点において、予め後述の再生装置における各構成部材のタイミングを設定するための情報
（２）後述の再生装置におけるピックアップの、図３に示す論理構造上のデータ区分に対応するＤＶＤ１上の位置を知るための情報
（３）再生表示しようとするデータのみを後述の再生装置におけるトラックバッファに書き込むための情報
（４）アクセス（検出）したいデータのＤＶＤ１上の記録位置（目標位置）を示す情報
（５）アクセスのためにデータをサーチした際、所望のデータのアドレスが検出できなかったときに他のデータ等を保護するための保護情報
【０１２２】
次に、上記のように分類された情報が記録されるＤＳＩデータ５１内に、上記の夫々の情報が具体的にどのように記録されるかについて、図５を用いて説明する。
【０１２３】
図５に示すように、ＤＳＩデータ５１は、具体的には、一のＤＳＩデータ５１内で共通に使用される一般情報と、シームレス再生のためのシームレス情報と、後述のアングル再生を行うためのアングル飛び先情報と、所望のＶＯＢユニット３０を検索するためのＶＯＢユニットサーチ情報と、当該ＤＳＩデータ５１が含まれているＶＯＢユニット３０と同期して再生表示すべきサブピクチャデータ４４又はオーディオデータ４３に関する情報である同期再生情報とにより構成される。
【０１２４】
ここで、上記アングル飛び先情報が適用されるアングル再生について説明すると、本実施の形態のＤＶＤ１には、例えば、一の映画（タイトル６２）について、同じ時間軸上の場面を複数の視点から見た映像情報を記録することが可能である。すなわち、より具体的には、一の映画について、それに出演している男優の視点からある情景を見た映像と、女優の視点から同じ情景を見た映像とを記録することが可能なのである。そして、これらの映像を、例えば視聴中の入力操作によって視聴者の選択により切り換えて再生することが可能であり、これをアングル切り換え再生という。
【０１２５】
また、図５に示す各情報について更に詳細に説明すると、一般情報としては、視聴者から指定されたある動作について、予め後述の再生装置における各構成部材の再生開始タイミングを設定するための時間情報と、図３に示す論理構造を構成するための各データのＤＶＤ１上の記録位置（論理アドレス）と、データサーチの際、所望のデータのアドレスが検出できなかったときに他のデータ等を保護するための保護情報と、後述の再生装置におけるタイムサーチ動作のための時間情報（セル２０内の経過時間情報等）とが記録される。
【０１２６】
また、シームレス情報としては、シームレス再生に必要な各データのＤＶＤ１上の記録位置（論理アドレス）と、シームレス再生において、各再生画面の接続のタイミングを予め設定するための時間情報とが記録される。
【０１２７】
更に、アングル飛び先情報としては、アングルを切り換えるときシームレス（連続的）に切り換え再生を行うための再生すべきデータのＤＶＤ１上の記録位置を示すアドレス情報が記録されている。
【０１２８】
また、ＶＯＢユニットサーチ情報としては、当該ＤＳＩデータ５１の近傍の所定の範囲に存在する他の再生すべきＶＯＢユニット３０（すなわち、他のＤＳＩデータ５１）のＤＶＤ１上の記録位置を示すアドレス情報が記録されている。
【０１２９】
最後に、本発明に係る同期再生情報としては、当該ＤＳＩデータ５１が含まれているＶＯＢユニット３０内のビデオデータ４２と同期して再生表示すべきサブピクチャデータ４４又はオーディオデータ４３のＤＶＤ１上の記録位置を示すアドレス情報が記録されている。この内、特に、ＶＯＢユニット３０の先頭のビデオデータ４２と同期して最初に再生すべきオーディオデータ４３のＤＶＤ１上の記録位置を示すアドレス情報をオーディオパックアドレスという。
【０１３０】
以上説明した各情報を含むＤＳＩデータ５１を用いることにより、後述の再生装置において、タイムサーチ動作等の処理が可能となるのである。
【０１３１】
次に、本発明に係るＤＶＤ１上のオーディオデータ４３の物理構造（物理フォーマット）について、ＭＰＥＧ１方式で圧縮されたオーディオデータ４３の場合とＭＰＥＧ２方式で圧縮されたオーディオデータ４３の場合に分けて図６乃至図８を用いて夫々説明する。
【０１３２】
始めに、図６及び図７を用いて、ＭＰＥＧ１方式で圧縮されたオーディオデータ４３の物理構造について説明する。なお、図６においては、上段がＤＶＤ１上に記録されている状態の各データを示し、中段が後述の再生装置におけるデマルチプレクサ内部において同一種類のストリームを構成するオーディオパックＡＰのみが分離された状態（すなわち、パック化されたエレメンタリーストリームの状態）を示し、下段がデマルチプレクサにおいて更にパックヘッダ６４とパケットヘッダ６５及び後述のパディングパケットＰＤＴを取り除いてオーディオデータ４３のみが分離され、オーディオフレームＡＦが連続してデコード可能な状態とされた、いわゆるオーディオエレメンタリーストリームを示している。ここで、デマルチプレクサからは図６下段の状態の信号が出力され、再生装置におけるオーディオバッファを介してオーディオデコーダへ出力される。
【０１３３】
なお、本実施の形態のＤＶＤ１においては、圧縮後のオーディオエレメンタリーストリームは、オーディオパックＡＰを更に細分化した記録単位であるオーディオパケットＡＰＴを構成して記録されている。
【０１３４】
図６中段に示すように、本実施の形態のＭＰＥＧ１方式のオーディオデータ４３については、上記のナビパック４１中のＤＳＩデータ５１におけるオーディオパックアドレスで指し示されているオーディオパックＡＰ（すなわち、当該オーディオパックアドレスが含まれているナビパック４１に基づいて再生制御されるオーディオデータ４２又はサブピクチャデータ４４と同期して再生されるべきオーディオデータ４３を含むオーディオパックＡＰ。以下、再生オーディオパックＰＡＰという。）において、当該再生オーディオパックＰＡＰ内のオーディオデータ４３が記録されるべき領域の先頭に対応するＤＶＤ１上の記録位置には、当該再生オーディオパックＰＡＰに含まれるべき圧縮されたオーディオデータ４３を構成するオーディオフレームＡＦにおける最初のデータが記録されている。換言すると、再生オーディオパックＰＡＰにおいては、常に、当該再生オーディオパックＰＡＰ内のオーディオデータ４３が記録されるべき領域の先頭と、当該再生オーディオパックＰＡＰに含まれるべきオーディオフレームＡＦの先頭とが必ず一致しているのである。再生オーディオパックＰＡＰとオーディオフレームＡＦについてこのような関係があることにより、再生時において、再生オーディオパックＰＡＰを再生することで常にオーディオフレームＡＦの先頭から再生することができることとなるので、オーディオフレームＡＦの先頭を検索するための検索時間が削減できることとなる。
【０１３５】
なお、再生オーディオパックＰＡＰと、当該再生オーディオパックＰＡＰを示すナビパック４１とは、必ずしも同一のＶＯＢユニット３０に含まれる必要はなく、図６上段に＊印で示す再生オーディオパックＰＡＰのように、他のＶＯＢユニット３０に含まれるようにしてもよい。
【０１３６】
また、上述のように、再生オーディオパックＰＡＰにおいて、当該再生オーディオパックＰＡＰ内のオーディオデータ４３が記録されるべき領域の先頭と、当該再生オーディオパックＰＡＰに含まれるべきオーディオフレームＡＦの先頭とを一致させるため、再生オーディオパックＰＡＰと同一種類のオーディオストリーム上における当該再生オーディオパックＰＡＰの直前のオーディオパックＡＰ（以下、直前オーディオパックＢＡＰという。）においては、当該直前オーディオパックＢＡＰの記録容量が、当該直前オーディオパックＢＡＰに実際に記録されるべきオーディオデータ４３の情報量より多い場合に、余った直前オーディオパックＢＡＰ内の記録領域には、上記実際に記録されるべきオーディオデータ４３に連続して、再生時に再生されない（無視される）無再生情報としてのパディングデータＰＤ（図６中段において、斜線で示す。）が記録される。より具体的には、パディングデータＰＤとしては、「００００……」等が記録される。このように、直前オーディオパックＢＡＰに必要に応じてパディングデータＰＤを含ませて記録することにより、再生時に再生オーディオパックＰＡＰの先頭から再生を開始することで、確実にオーディオフレームＡＦの先頭を検出できるのである。
【０１３７】
次に、ＭＰＥＧ１方式で圧縮されたオーディオデータ４３におけるオーディオパックＡＰの細部構成について、図６及び図７を用いて説明する。なお、図７においては、上段がＤＶＤ１上に記録されている状態の各データを示し、下段が上記のパック化されたエレメンタリーストリームの状態を示している。
【０１３８】
上述のように、ＭＰＥＧ１方式で圧縮されたオーディオデータ４３におけるオーディオパックＡＰには、再生オーディオパックＰＡＰと直前オーディオパックＢＡＰと再生オーディオパックＰＡＰ又は直前オーディオパックＢＡＰのいずれでもない通常のオーディオパックＡＰとが含まれている。
【０１３９】
これらのオーディオパックＡＰは、夫々元のオーディオデータ４３をＭＰＥＧ１方式により圧縮し、それに対してパケット化及びパック化を施すことにより生成されるものであるが、このとき、直前オーディオパックＢＡＰ以外のオーディオパックＡＰにおいては、原則として一のオーディオパックＡＰは一のオーディオパケットＡＰＴのみにより構成されている（図６中段参照）。そして、これの例外として、直前オーディオパックＢＡＰにおいては、一の直前オーディオパックＢＡＰ内にオーディオパケットＡＰＴとパディングパケットＰＤＴが含まれている。
【０１４０】
また、通常のオーディオパックＡＰにおいては、それに含まれる圧縮されたオーディオデータ４３は、各オーディオパケットＡＰＴの容量に対応して分割されて記録される。このとき、オーディオデータ４３の各オーディオパケットＡＰＴへの分割境界とオーディオフレームＡＦの境界とは一致する必要はない（図７下段参照）。そして、各オーディオパックＡＰは、実際には、パックヘッダ６４を先頭としてそれに連続してパケットヘッダ６５が記録され、その後に当該オーディオパックＡＰに含まれるべき圧縮されたオーディオデータ４３が記録されることとなる。このとき、パックヘッダ６４には、オーディオパックＡＰの先頭であることを示すスタートコードや、上記ＳＣＲ等が含まれ、パケットヘッダ６５には、当該オーディオパケットＡＰＴに含まれているオーディオデータ４３がＭＰＥＧ１方式で圧縮されていることを示す識別情報が記述されている。
【０１４１】
また、図７上段において、＊印で示されるオーディオパックＡＰは、ナビパック４１Ａの記録位置とその中のＤＳＩデータ５１におけるオーディオパックアドレスが指し示す再生オーディオパックＰＡＰの記録位置との間に記録されているが、当該＊印で示されるオーディオパックＡＰは、ナビパック４１Ａの一つ前のナビパック４１により再生制御されるＶＯＢユニット３０として再生制御されるオーディオパックＡＰである。
【０１４２】
更に、直前オーディオパックＢＡＰにおいては、図７下段に示すように、パッックヘッダ６４を先頭として次にパケットヘッダ６５が記録され、その後、当該直前オーディオパックＢＡＰに含まれるべきオーディオデータ４３が記録され、直前オーディオパックＢＡＰ内のオーディオデータ４３を記録すべき記録領域が余った場合には、当該余った記録領域に相当する情報量のパディングデータＰＤが、パディングパケットＰＤＴであることを示すパケットヘッダ６５を先頭として挿入されることとなる。
【０１４３】
次に、図８を用いて、ＭＰＥＧ２方式で圧縮されたオーディオデータ４３の物理構造について説明する。なお、図８においては、上段がＤＶＤ１上に記録されている状態の各データを示し、中段がデマルチプレクサ内部において同一種類のストリームを構成するオーディオパックＡＰのみが分離された状態を示し、下段がデマルチプレクサにおいて更にパックヘッダ６４とパケットヘッダ６５及び上記パディングパケットＰＤＴを取り除いてオーディオデータ４３のみが分離され、オーディオフレームＡＦ（後述のメインフレーム及び拡張部フレーム）が連続してデコード可能な状態とされたオーディオエレメンタリーストリームを示している。なお、ＭＰＥＧ２方式の場合にも、ＭＰＥＧ１方式の場合と同様に、オーディオパックＡＰには、再生オーディオパックＰＡＰと直前オーディオパックＢＡＰと再生オーディオパックＰＡＰ又は直前オーディオパックＢＡＰのいずれでもない通常のオーディオパックＡＰとが含まれている。
【０１４４】
更に、上述のように、ＭＰＥＧ２方式で圧縮したオーディオデータ４３には、ＭＰＥＧ１互換部と、当該ＭＰＥＧ１互換部に付随する拡張部とが含まれており、更に、オーディオフレームＡＦについては、一のＭＰＥＧ１互換部で一のオーディオフレームＡＦを構成すると共に、一の拡張部で他の一のオーディオフレームＡＦを構成しており、以後、ＭＰＥＧ１互換部に対応するオーディオフレームＡＦをメインフレーム６６とし、拡張部に対応するオーディオフレームＡＦを拡張部フレーム６７とする。
【０１４５】
図８上段及び中段に示すように、本実施の形態のＭＰＥＧ２方式のオーディオデータ４３については、ナビパック４１中のＤＳＩデータ５１におけるオーディオパックアドレスで指し示されている再生オーディオパックＰＡＰにおいて、当該再生オーディオパックＰＡＰ内のオーディオデータ４３が記録されるべき領域の先頭に対応するＤＶＤ１上の記録位置には、当該再生オーディオパックＰＡＰに含まれるべきメインフレーム６６における最初のデータが記録されている。換言すると、再生オーディオパックＰＡＰにおいては、常に、当該再生オーディオパックＰＡＰ内のオーディオデータ４３が記録されるべき領域の先頭と、当該再生オーディオパックＰＡＰに含まれるべきメインフレーム６６の先頭とが必ず一致しているのである。
【０１４６】
再生オーディオパックＰＡＰとメインフレーム６６についてこのような関係があることにより、再生時において、再生オーディオパックＰＡＰを再生することで常にメインフレーム６６の先頭から再生することができることとなるので、メインフレーム６６の先頭を検索するための検索時間が削減できることとなる。
【０１４７】
ここで、ＭＰＥＧ２方式における再生オーディオパックＰＡＰ、直前オーディオパックＢＡＰ及び通常のオーディオパックＡＰに共通の事項として、各オーディオパックに含まれるメインフレーム６６及び拡張部フレーム６７について、図８中段に示すように、一メインフレーム６６のみで一のオーディオパケットＡＰＴを構成し、同様に、一の拡張部フレーム６７のみで一のオーディオパケットＡＰＴを構成するように記録される。すなわち、ＭＰＥＧ１方式と異なり、一のオーディオパケットＡＰＴにメインフレーム６６又は拡張部フレーム６７一個分より多い情報量のデータが含まれることはない。つまり、メインフレーム６６又は拡張部フレーム６７の境界が、必ずオーディオパケットＡＰＴを構成する際の境界となる（図８下段参照）。
【０１４８】
更に、各オーディオパックＡＰに含まれるべきメインフレーム６６に付随する拡張部フレーム６７を含むオーディオパケットＡＰＴは、当該メインフレーム６６を含むオーディオパケットＡＰＴに連続して記録される。また、拡張部フレーム６７を含むオーディオパケットＡＰＴは、当該メインフレーム６６のデータ量がオーディオパックＡＰの記録容量よりも大きい場合には、同一種類のオーディオストリームにおける次のオーディオパックＡＰに連続して記録される。
【０１４９】
なお、再生オーディオパックＰＡＰと、当該再生オーディオパックＰＡＰを示すナビパック４１とは、必ずしも同一のＶＯＢユニット３０に含まれる必要はなく、図８上段に＊印で示す再生オーディオパックＰＡＰのように、他のＶＯＢユニット３０に含まれるようにしてもよい。
【０１５０】
また、上述のように、再生オーディオパックＰＡＰにおいて、当該再生オーディオパックＰＡＰ内のオーディオデータ４３が記録されるべき領域の先頭と、当該再生オーディオパックＰＡＰに含まれるべきメインフレーム６６の先頭とを一致させるため、再生オーディオパックＰＡＰと同一種類のストリーム上における直前オーディオパックＢＡＰにおいては、当該直前オーディオパックＢＡＰの記録容量が、当該直前オーディオパックＢＡＰに実際に記録されるべきメインフレーム６６及びそれに付随する拡張部フレーム６７の情報量より多い場合に、余った直前オーディオパックＢＡＰ内の記録領域には、上記ＭＰＥＧ１方式の場合と同様に、実際に記録されるべき拡張部フレーム６７（当該拡張部フレーム６７が直前オーディオパックＢＡＰに含まれるべき最後のオーディオフレームとなる。）に連続して、パディングデータＰＤ（図８中段において、斜線で示す。）を含むパディングパケットＰＤＴが記録される。このように、直前オーディオパックＢＡＰに必要に応じてパディングパケットＰＤＴを含ませて記録することにより、再生時に再生オーディオパックＰＡＰの先頭から再生を開始することで、確実にメインフレーム６６の先頭を検出できるのである。
【０１５１】
なお、ＭＰＥＧ２方式における通常のオーディオパックＡＰにおいては、実際には、パックヘッダ６４を先頭としてそれに連続してパケットヘッダ６５が記録され、その後に当該オーディオパックＡＰに含まれるべきメインフレーム６６又は拡張部フレーム６７が記録されることとなる。このとき、パックヘッダ６４には、オーディオパックＡＰの先頭であることを示すスタートコードや、上記ＳＣＲ等が含まれ、パケットヘッダ６５には、それが含まれるオーディオパケットＡＰＴ内のオーディオフレームＡＦがＭＰＥＧ１互換部としてのメインフレーム６６であるか、拡張部としての拡張部フレーム６７であるかを示す識別情報が記述されている。
【０１５２】
ここで、メインフレーム６６と拡張部フレーム６７は、夫々図８中段及び下段に示すように、一のメインフレーム６６又は一の拡張部フレーム６７が二のオーディオパックＡＰに分割されて記録される場合があるが、少なくとも再生オーディオパックＰＡＰにおいては、再生オーディオパックＰＡＰ内のオーディオデータ４３が記録されるべき領域の先頭と、当該再生オーディオパックＰＡＰに含まれるべきメインフレーム６６の先頭とが必ず一致している。そして、このようにメインフレーム６６を記録するために、直前オーディオパックＢＡＰの最後の部分に余った記録領域に相当する情報量のパディングデータＰＤが、パディングパケットＰＤＴであることを示す識別情報が記述されたパケットヘッダ６５を先頭としてパディングパケットＰＤＴを構成して挿入されることとなる。
【０１５３】
ＭＰＥＧ２方式においては、上述のように、メインフレーム６６と、それに付随して再生されるべき拡張部フレーム６７とが一のオーディオパックＡＰ内又は同一種類のオーディオストリーム上における連続した複数のオーディオパックＡＰ内に連続して記録されると共に、それらがオーディオパックＡＰ内で連続して夫々にオーディオパケットＡＰＴを構成して記録することにより、再生時に、ＭＰＥＧ２方式用のデコーダでデコードするときは、メインフレーム６６と付随する拡張部フレーム６７とを連続して検出でき、拡張部フレーム６７を検索する必要がない。
【０１５４】
また、再生時に、ＭＰＥＧ１方式用のオーディオデコーダでデコードするときは、当該オーディオデコーダでデコード可能なメインフレーム６６とデコード不可能な拡張部フレーム６７が夫々別パケットを構成しているので、デコードできない拡張部フレーム６７であることをそのパケットヘッダ６５によりデマルチプレクサで簡易に検出して当該拡張部フレーム６７を当該デマルチプレクサで破棄し、メインフレーム６６のみをオーディオデコーダに出力することができる（図８下段参照）。
【０１５５】
（II）記録装置の実施の形態
次に、上述の制御情報、映像情報及び音声情報をＤＶＤ１に記録するための本発明に対応する記録装置の実施の形態について、図９及び図１０を用いて説明する。
【０１５６】
図８に示すように、実施の形態に係る記録装置Ｓ1 は、ＶＴＲ（Video Tape Recorder）７０と、メモリ７１と、信号処理部７２と、ハードディスク装置７３及び７４と、多重手段としてのコントローラ７５と、多重手段としての多重器７６と、変調器７７と、記録手段としてのマスタリング装置７８とにより構成されている。
【０１５７】
また、信号処理部７２は、処理部７２Ａ及び信号処理手段としての処理部７２Ｂと、分割部７２Ｃ及び分割手段としての分割部７２Ｄと、多重部７２Ｅと、検索制御情報生成手段としての制御情報生成部７２Ｆとにより構成されている。
【０１５８】
更に、分割部７２Ｄは、記録情報分割手段としての分割回路７２Ｄa と、記録情報多重手段としての多重回路７２Ｄb とにより構成されている。
【０１５９】
次に、動作を説明する。
【０１６０】
ＶＴＲ７０には、ＤＶＤ１に記録すべき音声情報や映像情報等の素材である記録情報Ｒが夫々の情報毎に一時的に記録されている。そして、ＶＴＲ７０に一時的に記録された記録情報Ｒは、信号処理部７２からの要求により音声情報又は映像情報毎に当該信号処理部７２に出力される。
【０１６１】
信号処理部７２における処理部７２Ａは、入力された映像情報をＡ／Ｄ変換した後、ＭＰＥＧ２方式又はＭＰＥＧ１方式を用いて圧縮処理し、ＧＯＰ５２により構成されている処理映像信号Ｓrvを出力する。そして、分割部７２Ｃは、ＶＴＲ７０から出力される上記記録情報Ｒに対応したタイムコードＴt に基づいて、処理映像信号ＳrvをビデオパックＶＰに分割し、分割処理映像信号Ｓrvpを出力する。
【０１６２】
一方、信号処理部７２における処理部７２ｂは、入力された音声情報をＡ／Ｄ変換した後、ＭＰＥＧ２方式又はＭＰＥＧ１方式を用いて圧縮処理し、オーディオフレームＡＦにより構成されている処理音信号Ｓraを出力する。
【０１６３】
そして、分割部７２Ｄに含まれる分割回路７２Ｄa は、タイムコードＴtに基づき、処理音信号Ｓraを分割してＭＰＥＧ１方式又はＭＰＥＧ２方式における夫々のオーディオパケットＡＰＴを構成すべきオーディオデータ４３に分割し、パケット分割信号Ｓrappを出力する。そして、分割部７２Ｄに含まれる多重回路７２Ｄb は、タイムコードＴt と制御情報生成部７２Ｆから出力されたヘッダ情報信号Ｓihに基づき、パケットヘッダ６５及びパックヘッダ６４を生成し、パケット分割信号Ｓrappに含まれている各オーディオデータ４３に付加する。
【０１６４】
このとき、処理音信号ＳraがＭＰＥＧ１方式で圧縮されている場合には、分割回路７２Ｄa は、ＶＯＢユニット３０内のビデオデータ４２に同期して最初に再生すべき再生オーディオパックＰＡＰについては、当該再生オーディオパックＰＡＰに含まれるオーディオパケットＡＰＴの圧縮されたオーディオデータ４３が記録されるべき領域の先頭と、当該再生オーディオパックＰＡＰに含まれるべきオーディオフレームＡＦの先頭とが一致するように処理音信号Ｓraを分割し、パケット分割信号Ｓrappとして出力する。
【０１６５】
次に、多重回路７２Ｄb において、パケット分割信号Ｓrappにパケットヘッダ６５及びパックヘッダ６４を多重し、パック化されたオーディオエレメンタリーストリームを生成し、分割処理音信号Ｓrapとして出力する。このため、多重回路７２Ｄbは、直前オーディオパックＢＡＰにおいては、当該直前オーディオパックＢＡＰの記録容量が、当該直前オーディオパックＢＡＰに実際に記録されるべき圧縮後のオーディオデータ４３の情報量より多い場合に、余った直前オーディオパックＢＡＰ内の記録領域に、上記実際に記録されるべきオーディオデータ４３に連続して、パディングデータＰＤを生成し、パディングデータＰＤであることを示すパケットヘッダ６５を先頭として直前オーディオパックＢＡＰ内に多重する。この直前オーディオパックＢＡＰにおける多重回路７２Ｄbの動作により、直前オーディオパックＢＡＰに後続する再生オーディオパックＰＡＰにおいては、その中のオーディオデータ４３を記録すべき領域の先頭と、当該再生オーディオパックＰＡＰに含まれるオーディオフレームＡＦの先頭とが一致して記録されるようになる。
【０１６６】
一方、オーディオデータ４３がＭＰＥＧ２方式で圧縮されている場合には、分割回路７２Ｄaは、始めに、ＭＰＥＧ２方式で圧縮された処理音信号Ｓraをメインフレーム６６と拡張部フレーム６７に第１分割する。そして、次に、各メインフレーム６６と拡張部フレーム６７を組合わせてオーディオパックＡＰを構成するべく第２の分割を行う。このとき、再生オーディオパックＰＡＰについては、当該再生オーディオパックＰＡＰに含まれるオーディオパケットＡＰＴの圧縮されたオーディオデータ４３が記録されるべき領域の先頭と、当該再生オーディオパックＰＡＰに含まれるべきメインフレーム６６の先頭とが一致するように処理音信号Ｓraが上記第２分割され、最終的にパケット分割信号Ｓrappとして出力する。
【０１６７】
次に、多重回路７２Ｄbにおいて、始めに、上記分割回路７２Ｄaにおいて分割した全ての分割境界（メインフレーム６６の境界又は拡張部フレーム６７の境界若しくはオーディオパックＡＰの境界）にパケットヘッダ６５が多重され、次に、第２の分割で形成されているオーディオパックＡＰの先頭にパックヘッダ６４が多重され、パック化されたオーディオエレメンタリーストリームを生成し、分割処理音信号Ｓrapとして出力する。このため、多重回路７２Ｄbは、上記ＭＰＥＧ１方式の場合と同様に、直前オーディオパックＢＡＰにおいては、必要な場合に余った直前オーディオパックＢＡＰ内の記録領域に、上記実際に記録されるべき拡張部フレーム６７に連続して、パディングデータＰＤを生成し、パディングデータＰＤであることを示すパケットヘッダ６５を先頭として直前オーディオパックＢＡＰ内に多重する。この直前オーディオパックＢＡＰにおける多重回路７２Ｄbの動作により、直前オーディオパックＢＡＰに後続する再生オーディオパックＰＡＰにおいては、その中のオーディオデータ４３を記録すべき領域の先頭と、当該再生オーディオパックＰＡＰに含まれるメインフレーム６６の先頭とが一致して記録されるようになる。
【０１６８】
以上の分割部７２Ｄの動作により、ＭＰＥＧ１方式又はＭＰＥＧ２方式によりパック化されたオーディオエレメンタリーストリーム（図６中段又は図８中段参照）が生成され、分割処理音信号Ｓrapとして出力される。
【０１６９】
そして、多重部７２Ｅにおいて、タイムコードＴtに基づき、分割部７２Ｃから出力されたビデオパックＶＰを含む分割処理映像信号Ｓrvpと分割部７２Ｄから出力されたオーディオパックＡＰを含む分割処理音信号Ｓrapとが各パックＰ毎に多重され、圧縮多重信号Ｓrとして出力される。その後、出力された圧縮多重信号Ｓrは、ハードディスク装置７３に一時的に記憶される。
【０１７０】
これらと並行して、メモリ７１は、上記記録情報Ｒの再生を制御するための制御情報（図１における、ビデオマネージャ２、コントロールデータ１１及びＤＳＩデータ５１を含むナビパック４１等）が記載されたキューシートＳＴに基づき予め入力された当該制御情報を一時的に記憶し、信号処理部７２に含まれる制御情報生成部７２Ｆからの要求に基づいて制御情報信号Ｓiとして出力する。
【０１７１】
そして、制御情報生成部７２Ｆは、上記タイムコードＴt及びメモリ７１から出力される制御情報信号Ｓi並びに処理部７２Ａで生成された処理映像信号Ｓrvと処理部７２Ｂで生成された処理音信号Ｓraの夫々のデータ生成量に基づいて、再生オーディオパックＰＡＰの記録位置を決定し、ナビパック４１中のＤＳＩデータ５１におけるオーディオパックアドレスを生成する。これと並行して、制御情報生成部７２Ｆは、タイムコードＴtを参照して、その他必要な情報を生成し、制御情報信号ＳiからＤＳＩデータ５１を分離する。そして、当該ＤＳＩデータ５１に対応するＤＳＩ情報信号Ｓdsiとして出力し、当該ＤＳＩ情報信号Ｓdsiがハードディスク装置７４に一時的に記憶される。このとき、ＤＳＩデータ５１以外の他の制御情報については、図９及び図１０においては図示を省略しているが、ＤＳＩデータ５１と同様に制御情報生成部７２Ｆにおいて夫々に分離され、ハードディスク装置７４に記憶される。
【０１７２】
以上の処理が記録情報Ｒ全体について実行される。
【０１７３】
記録情報Ｒの全てについて上記の処理が終了すると、コントローラ７５は、ハードディスク装置７３から圧縮多重信号Ｓrを読み出すとともにハードディスク装置７４からＤＳＩ情報信号Ｓdsi並びにその他の制御情報を読み出し、これらに基づいて当該ＤＳＩデータ５１並びにその他の制御信号を夫々独立に含む付加情報を生成し、対応する付加情報信号Ｓaをハードディスク装置７４に一時的に再記録する。これは、各制御情報の中には、圧縮多重信号Ｓrの生成結果によって内容が定まるものがあるからである。
【０１７４】
一方、コントローラ７５は、上記信号処理部７２、ハードディスク装置７３及び７４の夫々の動作の時間管理を行い、付加情報信号Ｓaをハードディスク装置７４から読み出して出力すると共に、圧縮多重信号Ｓrと付加情報信号Ｓaを時間軸多重するための情報選択信号Ｓccを生成して出力する。
【０１７５】
その後、圧縮多重信号Ｓrと付加情報信号Ｓaは、コントローラ７５からの情報選択信号Ｓccに基づき、ハードディスク装置７３又は７４から読み出され、多重器７６により時間軸多重されて情報付加圧縮多重信号Ｓapとして出力される。この情報付加圧縮多重信号Ｓapの段階では、記録すべき情報は、コントローラ７５の情報選択信号Ｓccを用いた切り換え動作によって制御情報と映像情報及び音声情報とが合成され、図６上段又は図８上段に示す物理構造（物理フォーマット）となっている。そして、ＤＳＩデータ５１については、他の制御情報と独立してナビパック４１に含まれていることとなる。
【０１７６】
なお、記録すべき情報の中に副映像情報が含まれている場合には、図示しない他のハードディスク装置から読み出されて信号処理部７２に入力され、映像情報及び音声情報と同様に信号処理され、情報付加圧縮多重信号Ｓapに含まれる。
【０１７７】
その後、変調器７７は、出力された情報付加圧縮多重信号Ｓapに対してリードソロモン符号等のエラー訂正コード（ＥＣＣ）の付加及び８−１６変調等の変調を施してディスク記録信号Ｓmを生成し、マスタリング装置７８に出力する。
【０１７８】
最後に、マスタリング装置７８は、当該ディスク記録信号Ｓmを光ディスクを製造する際のマスタ（抜き型）となるスタンパディスクに対して記録する。そして、このスタンパディスクを用いて図示しないレプリケーション装置により、一般に市販されるレプリカディスクとしての光ディスクが製造される。
【０１７９】
以上説明したように、実施の形態の記録装置Ｓ1によれば、ＭＰＥＧ１方式で圧縮されたオーディオストリームの場合には、ＤＳＩデータ５１内のオーディオパックアドレスで指し示されている再生オーディオパックＰＡＰ内のオーディオデータ４３の記録領域の先頭と、オーディオフレームＡＦの先頭とが一致しているので、記録情報Ｒの再生時において、オーディオパックアドレスで指し示されているオーディオパックＡＰを検索することで、同時にオーディオフレームＡＦの先頭をも検出することができる。
【０１８０】
また、オーディオパックアドレスで指し示されているオーディオパックＡＰ内のオーディオデータ４３の記録領域の先頭と、オーディオフレームＡＦに含まれるオーディオデータ４３の先頭とを一致させるために、直前オーディオパックＢＡＰにおいては、余った直前オーディオパックＢＡＰ内の領域がパディングデータにより埋められて記録されることとなるので、常にオーディオパックＡＰの大きさが一定となり、記録情報Ｒの再生時に、確実に情報単位の先頭を検出することができる。
【０１８１】
一方、ＭＰＥＧ２方式で圧縮されたオーディオストリームの場合には、再生オーディオパックＰＡＰ内のオーディオデータ４３の記録領域の先頭と、メインフレーム６６の先頭とが一致しているので、記録情報Ｒの再生時において、再生オーディオパックＰＡＰを検索することで、同時にメインフレーム６６の先頭をも検出することができる。
【０１８２】
また、一体として再生されるべきメインフレーム６６と拡張部フレーム６７が、同一種類のオーディオストリーム内の一又は複数の連続したオーディオパックＡＰ内に連続して記録されるので、メインフレーム６６及び拡張部フレーム６７の再生時において、同一種類のオーディオパックＡＰのみを再生することによりメインフレーム６６及び拡張部フレーム６７を一体的に検出でき、再生時にメインフレーム６６に対応する拡張部フレーム６７を別個に検索する必要がない。
【０１８３】
（III）再生装置の実施の形態
次に、上記の記録装置Ｓ１によりＤＶＤ１に記録された情報を再生するための本発明に対応する再生装置の実施の形態を、図１１乃至図１３を用いて説明する。
【０１８４】
始めに、実施の形態に係る再生装置の構成及び全体動作について、図１１を用いて説明する。
【０１８５】
図１１に示すように、実施の形態に係る再生装置Ｓ２は、検出復調手段としてのピックアップ８０と、検出復調手段としての復調訂正部８１と、ストリームスイッチ８２及び８４と、トラックバッファ８３と、検索制御情報抽出手段としてのシステムバッファ８５と、デマルチプレクサ８６と、ＶＢＶ（Video Buffer Verifier）バッファ８７と、ビデオデコーダ８８と、サブピクチャバッファ８９と、サブピクチャデコーダ９０と、混合器９１と、抽出手段及び記録情報抽出手段としてのオーディオバッファ９２と、デコード手段としてのオーディオデコーダ９３と、ＰＣＩバッファ９４と、ＰＣＩデコーダ９５と、ハイライトバッファ９６と、ハイライトデコーダ９７と、入力部９８と、ディスプレイ９９と、制御手段としてのシステムコントローラ１００と、ドライブコントローラ１０１と、スピンドルモータ１０２と、スライダモータ１０３とにより構成されている。なお、図８に示す構成は、再生装置Ｓ２の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１８６】
次に、動作を説明する。
【０１８７】
ピックアップ８０は、図示しないレーザダイオード、偏向ビームスプリッタ、対物レンズ、光検出器等を含み、ＤＶＤ１に対して再生光としての光ビームＢを照射すると共に、当該光ビームＢのＤＶＤ１からの反射光を受光し、ＤＶＤ１上に形成されている情報ピットに対応する検出信号Ｓpを出力する。このとき、光ビームＢがＤＶＤ１上の情報トラックに対して正確に照射されると共に、ＤＶＤ１上の情報記録面で正確に焦点を結ぶように、図示しない対物レンズに対して従来技術と同様の方法によりトラッキングサーボ制御及びフォーカスサーボ制御が施されている。
【０１８８】
ピックアップ８０から出力された検出信号Ｓpは、復調訂正部８１に入力され、復調処理及び誤り訂正処理が行われて復調信号Ｓdmが生成され、ストリームスイッチ８２及びシステムバッファ８５に出力される。
【０１８９】
復調信号Ｓdmが入力されたストリームスイッチ８２は、ドライブコントローラ１０１からのスイッチ信号Ｓsw1によりその開閉が制御され、閉のときには、入力された復調信号Ｓdmをそのままスルーしてトラックバッファ８３に出力する。一方、ストリームスイッチ８２が開のときには、復調信号Ｓdmは出力されず、不要な情報（信号）がトラックバッファ８３に入力されることがない。
【０１９０】
復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。トラックバッファ８３は、ＭＰＥＧ２方式における各ＧＯＰ毎のデータ量の差を補償すると共に、インターリーブドユニットＩＵに分割されたデータの読み取りの際等に、上記のシームレス再生におけるトラックジャンプに起因して不連続に入力される復調信号Ｓdmを連続的に出力し、当該不連続による再生の中断を解消するためのものである。
【０１９１】
連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2により開閉が制御される。
【０１９２】
一方、トラックバッファ８３と並行して復調信号Ｓdmが入力されるシステムバッファ８５は、ＤＶＤ１をローディングしたときに最初に検出され、ＤＶＤ１に記録されている情報全体に関する管理情報（ビデオマネージャ２等）又はＶＴＳ３毎のコントロールデータ１１を蓄積して制御情報Ｓc としてシステムコントローラ１００に出力すると共に、再生中にナビパック４１毎のＤＳＩデータ５１を一時的に蓄積し、システムコントローラ１００に制御情報Ｓcとして出力する。  ストリームスイッチ８４を介して復調信号Ｓdmが連続的に入力されたデマルチプレクサ８６においては、当該復調信号Ｓdmから各パック毎にビデオデータ４２、オーディオデータ４３、サブピクチャデータ４４及びナビパック４１毎のＰＣＩデータ５０を抽出し、ビデオ信号Ｓv、副映像信号Ｓsp、オーディオ信号Ｓad並びにＰＣＩ信号Ｓpcとして、夫々ＶＢＶバッファ８７、サブピクチャバッファ８９、オーディオバッファ９２及びＰＣＩバッファ９４に出力する。なお、復調信号Ｓdmには、オーディオデータ４３又はサブピクチャデータ４４として複数の言語が別々のストリームとして含まれている場合があるが、その場合には、システムコントローラ１００からのストリーム選択信号Ｓlcにより所望の言語が夫々選択されてオーディオバッファ９２又はサブピクチャバッファ８９に出力される。
【０１９３】
このとき、デマルチプレクサ８６は、各パック（オーディオパックＡＰを含む。）及びパケット（オーディオパケットＡＰＴを含む。）からパックヘッダ及びパケットヘッダを抽出し、夫々に含まれる情報をヘッダ信号Ｓhdとしてシステムコントローラ１００に出力する。
【０１９４】
また、オーディオ信号Ｓadには、図６下段又は図８下段に示す形態の、同一種類のオーディオストリームだけが分離され、パックヘッダ６４及びパケットヘッダ６５並びにパディングパケットＰＤＴが取り除かれ、オーディオデータ４３のみとなった状態、すなわち、オーディオフレームＡＦ又はメインフレーム６６及び拡張部フレーム６７のみが連続してデコード可能な状態となった、オーディオエレメンタリーストリームのみが含まれていることとなる。
【０１９５】
ビデオ信号Ｓvが入力されるＶＢＶバッファ８７は、ＦＩＦＯメモリ等により構成され、ビデオ信号Ｓvを一時的に蓄積し、ビデオデコーダ８８に出力する。ＶＢＶバッファ８７は、ＭＰＥＧ２方式により圧縮されているビデオ信号Ｓvにおける各ピクチャ（図２参照）毎のデータ量のばらつきを補償するためのものである。そして、データ量のばらつきが補償されたビデオ信号Ｓvがビデオデコーダ８８に入力され、ＭＰＥＧ２方式又はＭＰＥＧ１方式により復調が行われて復号ビデオ信号Ｓvdとして混合器９１に出力される。
【０１９６】
一方、副映像信号Ｓspが入力されるサブピクチャバッファ８９は、入力された副映像信号Ｓspを一時的に蓄積し、サブピクチャデコーダ９０に出力する。サブピクチャバッファ８９は、副映像信号Ｓspに含まれるサブピクチャデータ４４を、当該サブピクチャデータ４４に対応するビデオデータ４２と同期して出力するためのものである。そして、ビデオデータ４２との同期が取られた副映像信号Ｓspがサブピクチャデコーダ９０に入力され、復調が行われて復調副映像信号Ｓspdとして混合器９１に出力される。
【０１９７】
なお、副映像信号Ｓspが、上記メニュー画面を構成して表示するために必要な、枠、選択ボタン等を構成するための映像情報を含んでいる場合には、システムコントローラ１００からのハイライト制御信号Ｓchに基づき、表示すべき選択ボタン等の表示状態の変更を行って出力する。
【０１９８】
ビデオデコーダ８８から出力された復号ビデオ信号Ｓvd及びサブピクチャデコーダ９０から出力された復調副映像信号Ｓspd（対応する復号ビデオ信号Ｓvdとの同期が取れている。）は、混合器９１により混合され、最終的な表示すべき映像信号Ｓvpとして図示しないＣＲＴ（Cathode  Ray Tube）等の表示部に出力される。
【０１９９】
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。オーディオバッファ９２は、オーディオ信号Ｓadを対応する映像情報を含むビデオ信号Ｓv又は副映像信号Ｓspに同期して出力させるためのものであり、対応する映像情報の出力状況に応じてオーディオ信号Ｓadを遅延させる。そして、対応する映像情報と同期するように時間調整されたオーディオ信号Ｓad（図６下段又は図８下段の形態となっている。）は、オーディオデコーダ９３に出力され、所定のデコードが施されて復号オーディオ信号Ｓaddとして図示しないスピーカ等に出力される。
【０２００】
上記のデマルチプレクサ８６並びにオーディオバッファ９２及びオーディオデコーダ９３における処理は、上記ヘッダ信号Ｓhd及び制御信号Ｓcに基づくシステムコントローラ１００からのヘッダ制御信号Ｓhcに基づいて行われ、ＤＳＩデータ５１内のオーディオパックアドレスで示されているオーディオパックＡＰにおいては、当該オーディオパックＡＰ内のオーディオデータ４３を記録する記録領域の先頭と、記録されているオーディオフレームＡＦ（メインフレーム６６）の先頭とが一致していることをデマルチプレクサ８６並びにオーディオバッファ９２及びオーディオデコーダ９３が認識し、これにより、正確に一のオーディオフレームＡＦ（メインフレーム６６）の先頭からデコードが開始される。このとき、デマルチプレクサ８６内部において分離されたオーディオパックＡＰに上記（図６中段参照）のパディングデータＰＤが含まれている場合には、デマルチプレクサ８６において、パディングデータＰＤであることを示すパケットヘッダ６５内の情報に基づいて、当該パディングデータＰＤを破棄する（読み跳ばす）ことにより、当該パディングデータＰＤがデマルチプレクサ８６から出力されることはなく、図６下段に示すオーディオストリームのみがオーディオバッファ９２を経てオーディオデコーダ９３に入力される。
【０２０１】
更にまた、所望の情報へのアクセス直後の再生開始時において復号ビデオ信号Ｓdvの表示開始タイミングと、復号オーディオ信号Ｓaddの出力開始タイミングを同期させる必要がある場合には、システムコントローラ１００からポーズ信号Ｓcaがオーディオデコーダ９３に出力され、当該オーディオデコーダ９３においてオーディオバッファ９２からのオーディオ信号Ｓadの読み出しとその復調処理及び復号オーディオ信号Ｓaddの出力を停止し、ポーズ信号Ｓcaが解除されたタイミングでオーディオバッファ９２からのオーディオ信号Ｓadの読み出しとその復号及び復号オーディオ信号Ｓadd の出力を再開する。
【０２０２】
更に、ＰＣＩ信号Ｓpcが入力されるＰＣＩバッファ９４は、ＦＩＦＯメモリ等により構成され、入力されたＰＣＩ信号Ｓpcを一時的に蓄積し、ＰＣＩデコーダ９５に出力する。ＰＣＩバッファ９４は、ＰＣＩ信号Ｓpcに含まれるＰＣＩデータ５０と当該ＰＣＩデータ５０が対応するビデオデータ４２、オーディオデータ４３又はサブピクチャデータ４４等とを同期させ、当該ビデオデータ４２、オーディオデータ４３又はサブピクチャデータ４４等にＰＣＩデータ５０を適用させるためのものである。そして、ＰＣＩバッファ９４により対応するビデオデータ４２、オーディオデータ４３又はサブピクチャデータ４４等と同期したＰＣＩ信号Ｓpcは、ＰＣＩデコーダ９５によりＰＣＩデータ５０に含まれるハイライト情報が分離され、ハイライト信号Ｓhiとしてハイライトバッファ９６に出力されると共に、ＰＣＩデータ５０のハイライト情報以外の部分がＰＣＩ情報信号Ｓpciとしてシステムコントローラ１００に出力される。
【０２０３】
ハイライト信号Ｓhiが入力されるハイライトバッファ９６は、ＦＩＦＯメモリ等により構成され、入力されたハイライト信号Ｓhiを一時的に蓄積し、ハイライトデコーダ９７に出力する。ハイライトバッファ９６は、当該ハイライト情報のための映像情報が含まれている副映像信号Ｓspに対応して、ハイライト情報に対応する選択項目（選択ボタン）の表示状態の変更が正確に行われるための時間軸補償を行うためのバッファである。そして、時間軸補償が行われたハイライト信号Ｓhiは、ハイライトデコーダ９７においてデコードされ、当該ハイライト信号Ｓhiに含まれる情報が復調ハイライト信号Ｓhidとしてシステムコントローラ１００に出力される。この復調ハイライト信号Ｓhidの中に上記システムコントローラ１００内のレジスタを設定するための情報が含まれている。
【０２０４】
ここで、システムコントローラ１００は、当該復調ハイライト信号Ｓhidに基づき、ハイライト情報による表示状態の変更を行うべく、上記のハイライト制御信号Ｓchを出力することとなる。このとき、システムコントローラ１００は、復調ハイライト信号Ｓhidに含まれるハイライト情報の有効期間を示す有効期間情報に基づいて当該ハイライト情報に基づくメニュー画面等を用いた選択動作を有効とすべく、入力部９８からの入力信号Ｓinによる選択動作を受け付けると共に、上記ハイライト制御信号Ｓchを出力することとなる。
【０２０５】
更に、システムコントローラ１００は、システムバッファ８５から入力される制御情報Ｓc 、デマルチプレクサ８６から入力されるヘッダ信号Ｓhd、システムＰＣＩデコーダ９５から入力されるＰＣＩ情報信号Ｓpci及びリモコン等の入力部９８から入力される入力信号Ｓinに基づき、それらの信号に対応した正しい再生を行うために上記のスイッチ信号Ｓsw2、ストリーム選択信号Ｓlc、ヘッダ制御信号Ｓhc、ポーズ信号Ｓca、ハイライト制御信号Ｓchを出力すると共に、再生装置Ｓ２の動作状況等を表示するために表示信号Ｓdpを液晶表示装置等のディスプレイ９９に出力する。
【０２０６】
更にまた、システムコントローラ１００は、上記ＤＳＩ情報信号Ｓdsi等により、シームレス再生のためにサーチ等のトラックジャンプの処理が必要であることを検出したときには、ドライブコントローラ１０１に対して、当該トラックジャンプの処理に対応するシームレス制御信号Ｓcslを出力する。
【０２０７】
そして、シームレス制御信号Ｓcslが入力されたドライブコントローラ１０１は、スピンドルモータ１０２又はスライダモータ１０３に対して駆動信号Ｓdを出力する。この駆動信号Ｓdにより、スピンドルモータ１０２又はスライダモータ１０３は、光ビームＢが再生すべきＤＶＤ１上の記録位置に照射されるようにピックアップ２を移動させる（図１１破線矢印参照）と共に、ＤＶＤ１の回転数をＣＬＶ（Constant Linear Velocity：線速度一定）制御する。これと並行して、ドライブコントローラ１０１は、ピックアップ２が移動中であり復調訂正部８１から復調信号Ｓdmが出力されないときには、シームレス制御信号Ｓcslに基づきスイッチ信号Ｓsw1を出力し、ストリームスイッチ８２を開とすると共に、復調信号Ｓdmが出力され始めると、ストリームスイッチ８２を閉成して復調信号Ｓdmをトラックバッファ８３に出力する。
【０２０８】
次に、本実施の形態のＤＶＤ１に記録されたオーディオデータ４３を再生する場合の当該オーディオデータ４３のデコード処理について、図１２に示すフローチャートを用いて説明する。なお、図１２に示すフローチャートにおいて、ステップＳ１乃至Ｓ１０で示される動作は、主としてデマルチプレクサ８６及びオーディオバッファ９２並びにシステムコントローラ１００において実行される動作であり、ステップＳ１１で示される動作は、主としてオーディオデコーダ９３において実行される動作である。
【０２０９】
オーディオデータ４３のデコード時の処理においては、始めに、トラックバッファ８３から連続的に出力される復調信号Ｓdmに含まれているパケットヘッダ６５をデマルチプレクサ８６が検出することにより、所望のナビパック４１を検出したか否かが判定され（ステップＳ１）、検出しないときは（ステップＳ１；ＮＯ）検出するまで他のパックを破棄することを継続し、検出した場合には（ステップＳ１；ＹＥＳ）システムコントローラ１００において対応するナビパック４１のデコード処理を開始する。そして、当該ナビパック４１中のＤＳＩデータ５１を取得し（ステップＳ２）、当該ＤＳＩデータ５１に含まれるオーディオパッックアドレスを参照して当該ナビパック４１に基づいて再生が制御される再生オーディオパックＰＡＰが記録されているＤＶＤ１上の位置をシステムコントローラ１００が認識し、現在検出したナビパック４１のアドレスと上記オーディオパッックアドレスとを比較して、再生されるべき再生オーディオパックＰＡＰが記録されているＤＶＤ１上の位置が現在検出しているアドレスに対してその前なのか後ろなのかを判断する（ステップＳ３）。そして、現在検出しているアドレスよりも再生オーディオパックＰＡＰが前に位置するときは（ステップＳ３；ＹＥＳ）、システムコントローラ１００がドライブコントローラ１０１を制御して目的とする再生オーディオパックＰＡＰが記録されているＤＶＤ１上の位置までピックアップ８０をジャンプさせる（ステップＳ４）。一方、現在検出しているアドレスよりも再生オーディオパックＰＡＰが後ろに位置するときは（ステップＳ３；ＮＯ）、オーディオパックアドレスで示されている位置よりも前に位置するオーディオパックＡＰを破棄し、処理を行わないようにする（ステップＳ５）。
【０２１０】
次に、オーディオパックアドレスで示されている再生オーディオパックＰＡＰを検出する（ステップＳ６）。ここで、上述のように、当該再生オーディオパックＰＡＰではオーディオフレームＡＦ（ＭＰＥＧ１方式の場合）又はメインフレーム６６（ＭＰＥＧ２方式の場合）の先頭から記録されているので、デマルチプレクサ８６は当該再生オーディオパックＰＡＰを分離し、パックヘッダ６４及びパケットヘッダ６５を取り除いてオーディオデータ４３のみを分離し、当該オーディオフレームＡＦ又はメインフレーム６６の先頭からオーディオバッファ９２へ出力する（ステップＳ７）。これと並行して、デマルチプレクサ８６は、再生オーディオパックＰＡＰから分離したパックヘッダ６４及びパケットヘッダ６５に含まれる情報をヘッダ信号Ｓhdとしてシステムコントローラ１００に出力する。
【０２１１】
次に、システムコントローラ１００は、ＶＯＢユニット３０の先頭のビデオデータ４２と同期して復号オーディオ信号Ｓadd を得るために、ヘッダ信号Ｓhd中のオーディオパックＡＰ毎の、当該オーディオパックＡＰに含まれているオーディオデータ４３の再生及び出力を開始すべき時刻を示すＰＴＭ（Presentation Time）に基づいて、再生時刻を示すパラメータＴsを上記ＰＴＭで示される再生時刻に設定する（ステップＳ８）。そして、再生装置Ｓ２内の動作を司どる基準時間ＴがパラメータＴsで示される再生時刻になったか否かが判定され（ステップＳ９）、再生時刻になっていないときには（ステップＳ９；ＮＯ）システムコントローラ１００はポーズ信号Ｓcaを出力したまま待機し、再生時刻になったら（ステップＳ９；ＹＥＳ）ポーズ信号Ｓcaを解除してオーディオバッファ９２からオーディオデータ４３の読み出しを開始し（ステップＳ１０）、オーディオデータ９３は入力されたオーディオデータ４３の復号処理を開始する（ステップＳ１１）。このときオーディオデコーダ９３に出力されるオーディオデータ４３は、オーディオフレームＡＦ又はメインフレーム６６の先頭からのデータであるので、オーディオデコーダ９３は直ちに復号処理を開始することができる。そして、図示しないＤ／Ａ（Digital/Analog）変換器によりデコードされたオーディオデータ４３をアナログ信号に変換して（ステップＳ１２）、図示しないスピーカからの出力を開始する。
【０２１２】
上記の処理により、ＶＯＢユニット３０の先頭のビデオデータ４２と同期して最初に再生すべきオーディオフレームＡＦ又はメインフレーム６６を検出することができ、更に、当該オーディオフレームＡＦ又はメインフレーム６６の途中からの不要なオーディオデータ４３がオーディオバッファ９２に出力されることがない。従って、オーディオデコーダ９３には、オーディオフレームＡＦ又はメインフレーム６６の先頭からデータの取得と同時にデコード処理を開始することができ、即座に復号オーディオ信号Ｓaddとして出力を開始することができる。
【０２１３】
この効果について更に説明すると、再生オーディオパックＰＡＰに含まれているオーディオフレームＡＦ又はメインフレーム６６が、必ずしもその先頭から記録されていないとすると、オーディオフレームＡＦ又はメインフレーム６６の先頭を検索することは非常に複雑な処理を必要とし、ビデオデータ４２の再生時刻と一致するオーディオデータ４３のオーディオフレームＡＦ又はメインフレーム６６の先頭がオーディオデコーダ９３において検出されるまで、オーディオデータ４３の復号処理ができないこととなり、再生の中段を招く恐れがある。
【０２１４】
この点について、ＭＰＥＧ１方式で圧縮されたオーディオデータ４３を例として説明すると、オーディオフレームＡＦの先頭を検索するまでオーディオデータ４３の伸張処理ができないので、オーディオフレームＡＦの先頭を検索するために、図１３にフローチャートを示すような複雑な処理がオーディオデコーダ９３において必要となる。なお、図１３において、ステップＳ１乃至Ｓ６及びＳ８乃至Ｓ１０並びにステップＳ２０で示される処理は主としてデマルチプレクサ８６並びにオーディオバッファ９２及びシステムコントローラ１００において実行される動作であり、ステップＳ３１乃至Ｓ４２で示される処理は主としてオーディオデコーダ９３において実行される処理である。また、図１３に示すフローチャートにおいて、図１２と同様の処理については、同様のステップ番号を付し、細部の説明は省略する。
【０２１５】
図１３に示す処理においては、始めに、図１２におけるステップＳ１乃至Ｓ６の処理が実行される。
【０２１６】
ステップＳ６において、オーディオパックアドレスで示されている再生オーディオパックＰＡＰが検出されると（ステップＳ６）、デマルチプレクサ８６は当該再生オーディオパックＰＡＰを分離し、パックヘッダ６４及びパケットヘッダ６５を取り除いてオーディオデータ４３のみを分離し、当該オーディオフレームＡＦ又はメインフレーム６６の先頭とは無関係にオーディオデータ４３をオーディオバッファ９２へ出力する（ステップＳ２０）。これと並行して、デマルチプレクサ８６は、再生オーディオパックＰＡＰから分離したパックヘッダ６４及びパケットヘッダ６５に含まれる情報をヘッダ信号Ｓhdとしてシステムコントローラ１００に出力する。
【０２１７】
以降、主としてシステムコントローラ１００において、図１２におけるステップＳ８乃至Ｓ１０の動作が行われて、オーディオバッファ９２からオーディオデータ４３の読み出しが開始されるが（ステップＳ１０）、これまでの処理から、ＶＯＢユニット３０の先頭のビデオデータ４２と同期して最初に再生すべきオーディオデータ４３は検出できるものの、そのオーディオフレームＡＦの途中からの不要なオーディオデータ４３がオーディオバッファ９２に出力されるため、オーディオデコーダ９３には、オーディオフレームＡＦの途中からデータが入力されることとなり、データの取得と同時にデコード処理を開始することができず、即座に復号オーディオ信号Ｓaddとして出力を開始することができなくなる。
【０２１８】
そこで、オーディオデコーダ９３においては、図１３におけるステップＳ３１乃至Ｓ４２の処理が必要となる。
【０２１９】
すなわち、オーディオフレームＡＦの先頭の図示しないヘッダを検出したか否かを判定し（ステップＳ３１）、検出しないときは（ステップＳ３１；ＮＯ）、検出するまで待機し、検出したときは（ステップＳ３１；ＹＥＳ）、次に、正しいヘッダが検索された回数を示すパラメータＩと正しくないヘッダが検索された回数を示すパラメータＮとを初期化する（ステップＳ３２）。
【０２２０】
次に、各オーディオフレームＡＦ内に含まれているオーディオデータ量が一定であることに基づいて次のヘッダの位置を予測し、これをパラメータＲＢＮ＃ｙとする（ステップＳ３３）。そして入力されるオーディオデータ４３から次のヘッダが検出されたか否かが判定され（ステップＳ３４）、検出されないときは（ステップＳ３４；ＮＯ）そのまま検出されるまで待機し、検出されたときは（ステップＳ３４；ＹＥＳ）当該検出したヘッダの位置をパラメータＢＮ＃ｘとし（ステップＳ３５）、次に、パラメータＲＢＮ＃ｙとパラメータＢＮ＃ｘとが等しいか否かが判定され（ステップＳ３６）、等しいときはステップＳ３４において検出したヘッダが正しいヘッダであるとしてパラメータＩを「１」だけインクリメントし（ステップＳ３７）、ステップＳ４０の処理に移行する。
【０２２１】
一方、パラメータＲＢＮ＃ｙとパラメータＢＮ＃ｘとが等しくないときは（ステップＳ３６；ＮＯ）ステップＳ３４において検出したヘッダは正しいヘッダではないとしてパラメータＮを「１」だけインクリメントし（ステップＳ３８）、次に、パラメータＮが所定値Ａ（例えば、「３」）より大きくなったときは（ステップＳ３９；ＹＥＳ）、正しいヘッダが検出不能であるとしてこれまでの処理を最初からやり直すべくステップＳ３１に戻る。
【０２２２】
また、ステップＳ３９における判定において、パラメータＮが所定値Ａ以上でないときは（ステップＳ３９；ＮＯ）、ステップＳ３４で検出したヘッダが正しいヘッダであると看做して次のヘッダの位置を予測し、それをパラメータＲＢＮ＃ｙに代入する（ステップＳ４０）。そして、パラメータＩが所定値Ｂ（例えば、「３」）以上となったか否かを判定し（ステップＳ４１）、所定値Ｂ以上となったときは（ステップＳ４１；ＹＥＳ）ステップＳ３４で検出したヘッダの位置からデコードを開始する。一方、ステップＳ４１における判定において、パラメータＩが所定値Ｂ以上でないときは（ステップＳ４１；ＮＯ）、次のヘッダを検出すべくステップＳ３４に戻る。
【０２２３】
以上説明したステップＳ３１乃至Ｓ４１の処理によりオーディオフレームＡＦの先頭ヘッダが検出されると、初めて伸張処理（ステップＳ４２）を開始し、オーディオデータ４３のデコード処理が行われ、Ｄ／Ａ変換されて（ステップＳ４３）出力されることとなる。
【０２２４】
以上説明したように、再生オーディオパックＰＡＰにおいて、オーディオフレームＡＦの先頭から記録されていない場合には、複雑な処理が必要となるため、オーディオデータ４３のデコード処理に必要な時間が長くなると共に、オーディオデコーダ９３における処理負担も大きくなる。この点で、上記実施の形態のようなオーディオフレームＡＦ又はメインフレーム６６の構成を取ることにより、図１２に示すような簡単な処理でオーディオデータ４３のデコード処理を行えるので、当該デコード処理に要する時間の短縮及びオーディオデコーダ９３における処理負担の軽減が可能となる。
【０２２５】
更に、ＭＰＥＧ２方式により圧縮されたオーディオデータ４３の再生の際には、ＭＰＥＧ２方式のオーディオデコーダ９３においては、再生オーディオパックＰＡＰから再生を開始すれば、メインフレーム６６に引き続いて拡張部フレーム６７が検出されるので、両者を検出後直ちに復号処理を開始することができる。
【０２２６】
また、デマルチプレクサ８６がメインフレーム６６と拡張部フレーム６７を連続させてＭＰＥＧ２方式のオーディオデコーダ９３に出力することにより、メインフレーム６６と拡張部フレーム６７の双方の時間合わせが不要となりオーディオバッファ９２も一個でよいこととなる。この点については、メインフレーム６６と拡張部フレーム６７が分離して記録されている場合、オーディオデコーダ９３ではそれらが揃わないとデコード処理できないので、それらを同時にオーディオデコーダ９３に入力させるべく、メインフレーム６６用のオーディオバッファと拡張部フレーム６７用のオーディオバッファが必要となるのである。
【０２２７】
以上説明したように、実施形態の再生装置Ｓ２においては、ＤＳＩデータ５１内のオーディオパックアドレスで示されている再生オーディオパックＰＡＰにおける当該再生オーディオパックＰＡＰ内のオーディオデータ４３を記録する記録領域の先頭と、記録されているオーディオフレームＡＦ又はメインフレーム６６の先頭とが一致しているので、再生オーディオパックＰＡＰを検出することで、オーディオデコーダ９３においてオーディオフレームＡＦ又はメインフレーム６６の先頭をも検出することができ、正確に一のオーディオフレームＡＦ又はメインフレーム６６をデコードすることができる。
【０２２８】
また、直前オーディオパックＢＡＰにおいて、余った記録領域にはパディングデータＰＤが記録されているので、これをデマルチプレクサ８６が認識して当該パディングデータＰＤを読み跳ばして出力することにより、確実にオーディオフレームＡＦ又はメインフレーム６６の先頭を検出することができる。
【０２２９】
更に、ＭＰＥＧ２方式においては、一体としてデコードされるべきメインフレーム６６と拡張部フレーム６７が、同一種類のパック化されたオーディオストリームにおいて一又は複数の連続したオーディオパックＡＰ内に連続して一体的に記録されているので、同一種類のオーディオストリームのオーディオパックＡＰだけをデマルチプレクサ８６により分離することによりメインフレーム６６と拡張部フレーム６７を一体的に検出でき、メインフレーム６６に付随する拡張部フレーム６７を検索する必要がない。
【０２３０】
また、上記の実施の形態においては、ＭＰＥＧ１方式又はＭＰＥＧ２方式により圧縮された情報をＤＶＤ１に記録する場合及びその再生について本発明を適用した場合について説明したが、本発明はこれに限らず、再生時においてトラックバッファを使用するものであれば、情報の圧縮方法は固定レート方式だけでなく可変レート方式であってもよく、圧縮の方式によらず種々の情報の記録及び再生について適用可能である。
【０２３１】
また、情報記録媒体の形態も上記ＤＶＤ１に限られるものではない。
【図面の簡単な説明】
【０２３２】
【図１】記録情報の物理的構造（物理フォーマット）を示す図である。
【図２】ＧＯＰを構成するフレーム画像を示す図である。
【図３】記録情報の論理的構造（論理フォーマット）を示す図である。
【図４】インターリーブドユニットの構造を示す図である。
【図５】ＤＳＩデータに含まれる情報を示す図である。
【図６】ＭＰＥＧ１方式によるオーディオデータの記録態様を説明する図である。
【図７】ＭＰＥＧ１方式によるオーディオパックの細部構成を示す図である。
【図８】ＭＰＥＧ２方式によるオーディオデータの記録態様を説明する図である。
【図９】記録装置の概要構成を示すブロック図である。
【図１０】信号処理部の細部構成を示すブロック図である。
【図１１】再生装置の概要構成を示すブロック図である。
【図１２】実施形態の記録形態のオーディオデータを再生する際の処理を示すフローチャートである。
【図１３】実施形態の記録形態でないのオーディオデータを再生する際の処理を示すフローチャートである。
【符号の説明】
【０２３３】
１    ＤＶＤ
２    ビデオマネージャ
３、６３    ＶＴＳ
１０    ＶＯＢ
１１    コントロールデータ
２０    セル
３０    ＶＯＢユニット
４１、４１Ａ    ナビパック
４２    ビデオデータ
４３    オーディオデータ
４４    サブピクチャデータ
５１    ＤＳＩデータ
５２    ＧＯＰ
６０    プログラム
６１、６１Ａ、６１Ｂ    ＰＧＣ
６２    タイトル
６４    パックヘッダ
６５    パケットヘッダ
６６    メインフレーム
６７    拡張部フレーム
７０    ＶＴＲ
７１    メモリ
７２    信号処理部
７２Ａ、７２Ｂ    処理部
７２Ｃ、７２Ｄ    分割部
７２Ｄa    分割回路
７２Ｄb    多重回路
７２Ｅ    多重部
７２Ｆ    制御情報生成部
７３、７４    ハードディスク装置
７５    コントローラ
７６    多重器
７７    変調器
７８    マスタリング装置
８０    ピックアップ
８１    復調訂正部
８２、８４    ストリームスイッチ
８３    トラックバッファ
８５    システムバッファ
８６    デマルチプレクサ
８７    ＶＢＶバッファ
８８    ビデオデコーダ
８９    サブピクチャバッファ
９０    サブピクチャデコーダ
９１    混合器
９２    オーディオバッファ
９３    オーディオデコーダ
９４    ＰＣＩバッファ
９５    ＰＣＩデコーダ
９６    ハイライトバッファ
９７    ハイライトデコーダ
９８    入力部
９９    ディスプレイ
１００    システムコントローラ
１０１    ドライブコントローラ
１０２    スピンドルモータ
１０３    スライダモータ
ＡＰ    オーディオパック
ＡＰＴ    オーディオパケット
ＡＦ    オーディオフレーム
ＶＰ    ビデオパック
ＳＰ    サブピクチャパック
ＰＡＰ    再生オーディオパック
ＢＡＰ    直前オーディオパック
ＰＤ    パディングデータ
ＰＤＴ    パディングパケット
Ｂ    光ビーム
Ｓ１    記録装置
Ｓ２    再生装置
ＳＴ    キューシート
Ｓr  圧縮多重信号
Ｓrv    処理映像信号
Ｓrvp    分割処理映像信号
Ｓra    処理音信号
Ｓrapp    パケット分割信号
Ｓrap    分割処理音信号
Ｓi    制御情報信号
Ｓih    ヘッダ制御情報信号
Ｓa    付加情報信号
Ｓcc    情報選択信号
Ｓm    ディスク記録信号
Ｓap    情報付加圧縮多重信号
Ｓpci    ＰＣＩ情報信号
Ｓdsi    ＤＳＩ情報信号
Ｓp    検出信号
Ｓdm    復調信号
Ｓsw1、Ｓsw2    スイッチ信号
Ｓin    入力信号
Ｓdp    表示信号
Ｓd    駆動信号
Ｓcsl    シームレス制御信号
Ｓc    制御信号
Ｓlc    ストリーム選択信号
Ｓca    ポーズ信号
Ｓch    ハイライト制御信号
Ｓhi    ハイライト信号
Ｓpc    ＰＣＩ信号
Ｓad    オーディオ信号
Ｓsp    副映像信号
Ｓv    ビデオ信号
Ｓvd    復号ビデオ信号
Ｓspd    復調副映像信号
Ｓadd    復号オーディオ信号
Ｓvp    映像信号
Ｓhid    復調ハイライト信号
Ｓhd    ヘッダ信号
Ｓhc    ヘッダ制御信号
Ｔt    タイムコード
Ｒ    記録情報
【図１】
2005276438.tif 000003
【図２】
2005276438.tif 000004
【図３】
2005276438.tif 000005
【図４】
2005276438.tif 000006
【図５】
2005276438.tif 000007
【図６】
2005276438.tif 000008
【図７】
2005276438.tif 000009
【図８】
2005276438.tif 000010
【図９】
2005276438.tif 000011
【図１０】
2005276438.tif 000012
【図１１】
2005276438.tif 000013
【図１２】
2005276438.tif 000014
【図１３】
2005276438.tif 000015
【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
複数の情報単位を含み、複数の記録単位により構成される処理記録情報が記録された領域と、
前記記録単位の１つであって、当該記録単位の処理記録情報の先頭が前記情報単位の先頭に対応している再生記録単位の位置情報を含む検索制御情報が記録された領域と、
を備えたことを特徴とする情報記録媒体。
【請求項２】
前記複数の記録単位のいずれかは、前記再生記録単位の直前に位置する記録単位である直前記録単位であると共に、
前記直前記録単位は、当該直前記録単位が格納することが可能な前記処理記録情報の情報量が当該直前記録単位に実際に格納される前記処理記録情報の情報量より多いとき、余った当該直前記録単位内の情報量に相当する情報量の無再生情報を当該直前記録単位内の当該直前記録単位に実際に格納される前記処理記録情報の後に含むことを特徴とする請求項１に記載の情報記録媒体。
【請求項３】
前記情報記録媒体は、映像情報が記録された領域をさらに備え、
前記処理記録情報は音情報であり、
前記位置情報は、前記映像情報に同期して再生されるべき音情報の位置を示すことを特徴とする請求項１又は２に記載の情報記録媒体。
【請求項４】
前記音情報は圧縮オーディオ情報であることを特徴とする請求項３に記載の情報記録媒体。
【請求項５】
請求項１から４のいずれか一項に記載の情報記録倍がいたマスタディスクであると共に、
当該マスタディスクを用いたレプリケーション工程により製造されたレプリカディスクであって、
前記処理記録情報が記録された領域と、
前記検索制御情報が記録された領域と、
を備えたことを特徴とするレプリカディスク。
【手続補正３】
【補正対象書類名】明細書
【補正対象項目名】０００９
【補正方法】変更
【補正の内容】
【０００９】
上記の課題を解決するために、請求項１に記載の発明は、複数の情報単位を含み、複数の記録単位により構成される処理記録情報が記録された領域と、前記記録単位の１つであって、当該記録単位の処理記録情報の先頭が前記情報単位の先頭に対応している再生記録単位の位置情報を含む検索制御情報が記録された領域と、を備える。
【手続補正４】
【補正対象書類名】明細書
【補正対象項目名】００１０
【補正方法】変更
【補正の内容】
【００１０】
請求項１に記載の発明の作用によれば、複数の情報単位を含み、複数の記録単位により構成される処理記録情報が記録された領域と、当該記録単位の処理記録情報の先頭が情報単位の先頭に対応している再生記録単位の位置情報を含む検索制御情報が記録された領域と、が別個にあるので、再生記録単位内の処理記録情報の先頭と、情報単位の先頭と、が対応付けられていることにより、記録情報の再生時において、再生記録単位を検索することで、同時に情報単位の先頭をも検出することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】削除
【補正の内容】
【手続補正６５】
【補正対象書類名】明細書
【補正対象項目名】００７１
【補正方法】削除
【補正の内容】
【手続補正６６】
【補正対象書類名】明細書
【補正対象項目名】００７２
【補正方法】削除
【補正の内容】